(57)【要約】内臓脂肪の量などを求めるために皮下脂肪を計測する際、計測時の計測部位の変形や計測者の計測方法の違いにより、計測結果がばらつき、安定した計測値を得ることがむずかしかった。  生体表面１に所定の面部を圧着させて皮下脂肪厚を計測する皮下脂肪計測部２、皮下脂肪計測部２から生体表面１へ加わる圧力を計測する押し当て圧力計測部６、生体表面１への圧力の無い状態での複数種類の皮下脂肪厚の値と、その複数種類の皮下脂肪厚のそれぞれについての生体表面へ加わる圧力と、その圧力が加わっている状態での皮下脂肪厚との関係についての情報を持つデータベース２５、皮下脂肪計測部２で計測した皮下脂肪厚と、押し当て圧力計測部６で計測した生体表面１へ加わる圧力に基づいて、データベース２５を利用して、生体表面１への圧力が無い状態での皮下脂肪厚を算出する演算部７と、算出された皮下脂肪厚から内臓脂肪の量を算出する内臓脂肪演算部５１を備えた。
2004073517.tif 000002
【特許請求の範囲】
【請求項１】
生体表面に所定の面部を圧着させて皮下脂肪厚を計測する皮下脂肪計測部と、
前記皮下脂肪計測部で計測した皮下脂肪厚に基づいて前記生体表面への圧力が無い状態での皮下脂肪厚を算出する演算部と、
算出された前記皮下脂肪厚から内臓脂肪量と相関性を有する情報量を算出する内臓脂肪演算部とを備えた、内臓脂肪計測装置。
【請求項２】
前記皮下脂肪計測部から前記生体表面へ加わる圧力を計測する押し当て圧力計測部と、
生体表面への圧力の無い状態での複数種類の皮下脂肪厚の値と、前記複数種類の皮下脂肪厚のそれぞれについての前記生体表面へ加わる圧力と、前記圧力が加わっている状態での皮下脂肪厚との関係についての情報を持つデータベースとを備え、
前記演算部は、前記皮下脂肪計測部で計測した皮下脂肪厚と、前記押し当て圧力計測部で計測した前記生体表面へ加わる圧力に基づいて、前記データベースを利用して、前記生体表面への圧力が無い状態での皮下脂肪厚を算出する、請求項１記載の内臓脂肪計測装置。
【請求項３】
生体表面への圧力の無い状態での複数種類の皮下脂肪厚の値と、前記複数種類の皮下脂肪厚のそれぞれについての前記生体表面に前記所定の圧力値以上の圧力が加わっている状態での皮下脂肪厚との関係についての情報を持つデータベースを備え、
前記皮下脂肪計測部は、前記生体表面に前記所定の圧力値以上で前記所定の面部を圧着させて前記皮下脂肪厚を計測し、
前記演算部は、前記皮下脂肪計測部で計測した皮下脂肪厚に基づいて、前記データベースを利用して、前記生体表面への圧力が無い状態での皮下脂肪厚を算出する、請求項１記載の内臓脂肪計測装置。
【請求項４】
前記内臓脂肪量と相関性を有する情報量とは、内臓脂肪の量であり、
前記内臓脂肪演算部は、算出された前記皮下脂肪厚から、数１を利用して前記内臓脂肪の量を算出する、請求項１記載の内臓脂肪計測装置。
2004073517.tif 000025
ここで、Ｓは、前記内臓脂肪の量、
Ｔ０は、算出された、前記生体表面への圧力が無い状態での皮下脂肪厚、
Ｄ０、Ｅ０は、所定の定数
【請求項５】
前記内臓脂肪量と相関性を有する情報量とは、内臓脂肪の量であり、
前記内臓脂肪演算部は、腹囲を入力する腹囲入力部を有し、
算出された前記皮下脂肪厚から、数４を利用して前記内臓脂肪の量を算出する、請求項１記載の内臓脂肪計測装置。
2004073517.tif 000026
ここで、Ｓは、前記内臓脂肪の量、
Ｔ０は、算出された、前記生体表面への圧力が無い状態での皮下脂肪厚、
Ｌは、前記腹囲
Ｇ０、Ｈ０、Ｉ０は、所定の定数
【請求項６】
前記所定の圧力値は、１００００Ｐａ以上である、請求項３記載の内臓脂肪計測装置。
【請求項７】
前記皮下脂肪計測部は、光式皮下脂肪計測装置である、請求項１〜５のいずれかに記載の内臓脂肪計測装置。
【請求項８】
前記皮下脂肪計測部は、超音波計測装置である、請求項１〜５のいずれかに記載の内臓脂肪計測装置。
【請求項９】
前記皮下脂肪計測部は、
反射波により前記皮下脂肪厚を計測する超音波素子と、
前記超音波素子と前記生体表面の間に密閉された空間を形成するドーム状の蓋と、
前記空間に満たされた軟体とを有する、請求項８記載の内臓脂肪計測装置。
【請求項１０】
前記腹囲を計測する腹囲計測部を備え、
前記腹囲入力部は、計測された前記腹囲を入力する、請求項５記載の内臓脂肪計測装置。
【請求項１１】
前記腹囲計測部は、
ひもと、
前記ひもを巻き取るリールと、
前記リールの回転数をカウントするカウンタとを有する、請求項１０記載の内臓脂肪計測装置。
【請求項１２】
前記腹囲計測部は、前記ひもの張力を所定の値に保持する張力調節機構を有する、請求項１１に記載の内臓脂肪計測装置。
【請求項１３】
前記皮下脂肪計測部を前記生体表面の所定の位置に固定する固定部を有する、請求項１〜５のいずれかに記載の内臓脂肪計測装置。
【請求項１４】
前記固定部は、臍部に挿入する突起部を有する、請求項１３記載の内臓脂肪計測装置。
【請求項１５】
生体表面に所定の面部を圧着させて皮下脂肪厚を計測する皮下脂肪計測ステップと、
前記皮下脂肪計測部で計測した皮下脂肪厚に基づいて前記生体表面への圧力が無い状態での皮下脂肪厚を算出する演算ステップと、
算出された前記皮下脂肪厚から内臓脂肪量と相関性を有する情報量を算出する内臓脂肪演算ステップとを備えた、内臓脂肪計測方法。
【請求項１６】
請求項１記載の内臓脂肪計測装置の、前記皮下脂肪計測部で計測した皮下脂肪厚に基づいて前記生体表面への圧力が無い状態での皮下脂肪厚を算出する演算部と、
算出された前記皮下脂肪厚から内臓脂肪量と相関性を有する情報量を算出する内臓脂肪演算部として、コンピュータを機能させるためのプログラム。
【請求項１７】
請求項１６記載のプログラムを担持した記録媒体であって、コンピュータにより処理可能な記録媒体。
【発明の詳細な説明】
【技術分野】  本発明は、内臓脂肪に関する情報を計測する内臓脂肪計測装置、内臓脂肪計測方法、プログラム、及び記録媒体に関するものである。
【背景技術】  従来、皮下脂肪厚を計測する方法としては、超音波を用いた方法（例えば、特許第２９５３９０９号公報参照）や、近赤外光を用いた方法（例えば、特許第３０３５７９１号公報参照）、キャリパーを用いた方法（例えば、特開平１０−３１４１４５号公報参照）が知られている。また、内臓脂肪面積はウエスト周囲径に相関性が高いという報告があった（例えば、松澤祐次、外１３名、“新しい肥満の判定と肥満症の診断基準”「肥満研究」Ｖｏｌ．６  Ｎｏ．１  ２０００＜委員会報告＞日本肥満学会肥満症診断基準検討委員会参照）。
なお、特許第２９５３９０９号公報、特許第３０３５７９１号公報、及び「松澤祐次、外１３名、“新しい肥満の判定と肥満症の診断基準”「肥満研究」Ｖｏｌ．６  Ｎｏ．１  ２０００＜委員会報告＞日本肥満学会肥満症診断基準検討委員会」の文献の全ての開示は、そっくりそのまま引用する（参照する）ことにより、ここに一体化する。
しかしながら、従来の超音波を用いた方法や近赤外光を用いた方法では、超音波や近赤外光を計測部位へ接触させて計測するために、柔らかい皮下脂肪は変形してしまう。この計測部位への接触具合のばらつきにより、計測される皮下脂肪厚が安定せず、計測再現性が悪化するという課題があった。また、皮下脂肪が変形してしまうために、得られた皮下脂肪厚は、自然状態の計測部位に力が加わっていない場合の値とは異なるという課題があった。一方、キャリパーを用いた方法では、計測場所を正確に決定することがむずかしい。さらに、皮膚の引っ張り方や計測方法など、計測者により異なるために計測値がばらつくなどの課題があった。
また、内臓脂肪面積に相関があるというウエスト周囲径については、人によっては（特に男女間では）皮下脂肪と内臓脂肪の割合が違うために、皮下脂肪が厚く内臓脂肪が少ない人と、皮下脂肪が薄く内臓脂肪が多い人では、内臓脂肪面積に差があるのにウエスト周囲径には差が出ない、という課題があった。つまり、ウエスト周囲径は、内臓脂肪量に相関性のある情報量であるが、皮下脂肪の影響が考慮されていない情報量である。また、ウエスト周囲径を計測する場合に、メジャーを使うと測定者によってメジャーの引っ張り強さがばらつくので、ウエスト周囲径の測定再現性も悪かった。
【発明の開示】
そこで本発明は、上記従来の問題点に鑑み、計測再現性の良い、計測部位に圧力が加わっていない状態での皮下脂肪厚を計測することにより、その皮下脂肪厚から内臓脂肪量に相関性のある情報を正確に計測出来る内臓脂肪計測装置、内臓脂肪計測方法、プログラム、及び記録媒体を提供することを目的とするものである。
また、別の本発明は、皮下脂肪による影響を含まない、内臓脂肪量に相関性のある情報量を計測できる内臓脂肪計測装置、内臓脂肪計測方法、プログラム、及び記録媒体を提供することを目的とするものである。
第１の本発明は、生体表面に所定の面部を圧着させて皮下脂肪厚を計測する皮下脂肪計測部と、
前記皮下脂肪計測部で計測した皮下脂肪厚に基づいて前記生体表面への圧力が無い状態での皮下脂肪厚を算出する演算部と、
算出された前記皮下脂肪厚から内臓脂肪量と相関性を有する情報量を算出する内臓脂肪演算部とを備えた、内臓脂肪計測装置である。
また、第２の本発明は、前記皮下脂肪計測部から前記生体表面へ加わる圧力を計測する押し当て圧力計測部と、
生体表面への圧力の無い状態での複数種類の皮下脂肪厚の値と、前記複数種類の皮下脂肪厚のそれぞれについての前記生体表面へ加わる圧力と、前記圧力が加わっている状態での皮下脂肪厚との関係についての情報を持つデータベースとを備え、
前記演算部は、前記皮下脂肪計測部で計測した皮下脂肪厚と、前記押し当て圧力計測部で計測した前記生体表面へ加わる圧力に基づいて、前記データベースを利用して、前記生体表面への圧力が無い状態での皮下脂肪厚を算出する、第１の本発明の内臓脂肪計測装置である。
また、第３の本発明は、生体表面への圧力の無い状態での複数種類の皮下脂肪厚の値と、前記複数種類の皮下脂肪厚のそれぞれについての前記生体表面に前記所定の圧力値以上の圧力が加わっている状態での皮下脂肪厚との関係についての情報を持つデータベースを備え、
前記皮下脂肪計測部は、前記生体表面に前記所定の圧力値以上で前記所定の面部を圧着させて前記皮下脂肪厚を計測し、
前記演算部は、前記皮下脂肪計測部で計測した皮下脂肪厚に基づいて、前記データベースを利用して、前記生体表面への圧力が無い状態での皮下脂肪厚を算出する、第１の本発明の内臓脂肪計測装置である。
また、第４の本発明は、前記内臓脂肪量と相関性を有する情報量とは、内臓脂肪の量であり、
前記内臓脂肪演算部は、算出された前記皮下脂肪厚から、数１を利用して前記内臓脂肪の量を算出する、第１の本発明の内臓脂肪計測装置である。
2004073517.tif 000003
ここで、Ｓは、前記内臓脂肪の量、
Ｔ０は、算出された、前記生体表面への圧力が無い状態での皮下脂肪厚、
Ｄ０、Ｅ０は、所定の定数
また、第５の本発明は、生体表面に所定の面部を圧着させて皮下脂肪厚を計測する皮下脂肪計測部と、
前記皮下脂肪計測部から前記生体表面へ加わる圧力を計測する押し当て圧力計測部と、
前記皮下脂肪計測部で計測した皮下脂肪厚と、前記押し当て圧力計測部で計測した前記生体表面へ加わる圧力に基づいて、数２を利用して内臓脂肪の量を算出する内臓脂肪演算部とを備えた、内臓脂肪計測装置である。
2004073517.tif 000004
ここで、Ｓは、前記内臓脂肪の量、
Ｆは、前記押し当て圧力計測部で計測した前記生体表面へ加わる圧力、
Ｔは、前記皮下脂肪計測部で計測した皮下脂肪厚、
Ａ、Ｂ、Ｃ、Ｄ、Ｅは、所定の定数、
ｅは、自然対数の底
また、第６の本発明は、生体表面に所定の圧力値以上で所定の面部を圧着させて皮下脂肪厚を計測する皮下脂肪計測部と、
前記皮下脂肪計測部で計測した皮下脂肪厚に基づいて、数３を利用して内臓脂肪の量を算出する内臓脂肪演算部とを備えた、内臓脂肪計測装置である。
2004073517.tif 000005
ここで、Ｓは、前記内臓脂肪の量、
Ｔ∞は、前記皮下脂肪計測部で計測した皮下脂肪厚、
Ｄ、Ｅは、所定の定数
また、第７の本発明は、前記内臓脂肪量と相関性を有する情報量とは、内臓脂肪の量であり、
前記内臓脂肪演算部は、腹囲を入力する腹囲入力部を有し、
算出された前記皮下脂肪厚から、数４を利用して前記内臓脂肪の量を算出する、第１の本発明の内臓脂肪計測装置である。
2004073517.tif 000006
ここで、Ｓは、前記内臓脂肪の量、
Ｔ０は、算出された、前記生体表面への圧力が無い状態での皮下脂肪厚、
Ｌは、前記腹囲
Ｇ０、Ｈ０、Ｉ０は、所定の定数
また、第８の本発明は、生体表面に所定の面部を圧着させて皮下脂肪厚を計測する皮下脂肪計測部と、
前記皮下脂肪計測部から前記生体表面へ加わる圧力を計測する押し当て圧力計測部と、
腹囲を入力する腹囲入力部を有し、前記皮下脂肪計測部で計測した皮下脂肪厚と、前記押し当て圧力計測部で計測した前記生体表面へ加わる圧力に基づいて、数５を利用して内臓脂肪の量を算出する内臓脂肪演算部とを備えた、内臓脂肪計測装置である。
2004073517.tif 000007
ここで、Ｓは、前記内臓脂肪の量、
Ｆは、前記押し当て圧力計測部で計測した前記生体表面へ加わる圧力、
Ｔは、前記皮下脂肪計測部で計測した皮下脂肪厚、
Ｌは、前記腹囲
Ａ、Ｂ、Ｃ、Ｄ、Ｅ、Ｇ、Ｈ、Ｉは、所定の定数
ｅは、自然対数の底
また、第９の本発明は、生体表面に所定の圧力値以上で所定の面部を圧着させて皮下脂肪厚を計測する皮下脂肪計測部と、
腹囲を入力する腹囲入力部を有し、前記皮下脂肪計測部で計測した皮下脂肪厚に基づいて、数６を利用して内臓脂肪の量を算出する内臓脂肪演算部とを備えた、内臓脂肪計測装置である。
2004073517.tif 000008
ここで、Ｓは、前記内臓脂肪の量、
Ｔ∞は、前記皮下脂肪計測部で計測した皮下脂肪厚、
Ｌは、前記腹囲
Ｇ、Ｈ、Ｉは、所定の定数
また、第１０の本発明は、前記所定の圧力値は、１００００Ｐａ以上である、第３または６の本発明の内臓脂肪計測装置である。
また、第１１の本発明は、前記皮下脂肪計測部は、光式皮下脂肪計測装置である、第１〜９の本発明のいずれかの内臓脂肪計測装置である。
また、第１２の本発明は、前記皮下脂肪計測部は、超音波計測装置である、第１〜９の本発明のいずれかの内臓脂肪計測装置である。
また、第１３の本発明は、前記皮下脂肪計測部は、
反射波により前記皮下脂肪厚を計測する超音波素子と、
前記超音波素子と前記生体表面の間に密閉された空間を形成するドーム状の蓋と、
前記空間に満たされた軟体とを有する、第１２の本発明の内臓脂肪計測装置である。
また、第１４の本発明は、前記腹囲を計測する腹囲計測部を備え、
前記腹囲入力部は、計測された前記腹囲を入力する、第７〜９の本発明のいずれかの内臓脂肪計測装置である。
また、第１５の本発明は、前記腹囲計測部は、
ひもと、
前記ひもを巻き取るリールと、
前記リールの回転数をカウントするカウンタとを有する、第１４の本発明の内臓脂肪計測装置である。
また、第１６の本発明は、前記腹囲計測部は、前記ひもの張力を所定の値に保持する張力調節機構を有する、第１５の本発明の内臓脂肪計測装置である。
また、第１７の本発明は、前記皮下脂肪計測部を前記生体表面の所定の位置に固定する固定部を有する、第１〜９の本発明のいずれかの内臓脂肪計測装置である。
また、第１８の本発明は、前記固定部は、臍部に挿入する突起部を有する、第１７の本発明の内臓脂肪計測装置である。
また、第１９の本発明は、生体表面に所定の面部を圧着させて皮下脂肪厚を計測する皮下脂肪計測ステップと、
前記皮下脂肪計測部で計測した皮下脂肪厚に基づいて前記生体表面への圧力が無い状態での皮下脂肪厚を算出する演算ステップと、
算出された前記皮下脂肪厚から内臓脂肪量と相関性を有する情報量を算出する内臓脂肪演算ステップとを備えた、内臓脂肪計測方法である。
また、第２０の本発明は、生体表面に所定の面部を圧着させて皮下脂肪厚を計測する皮下脂肪計測ステップと、
前記皮下脂肪計測部から前記生体表面へ加わる圧力を計測する押し当て圧力計測ステップと、
前記皮下脂肪計測部で計測した皮下脂肪厚と、前記押し当て圧力計測部で計測した前記生体表面へ加わる圧力に基づいて、数２を利用して内臓脂肪の量を算出する内臓脂肪演算ステップとを備えた、内臓脂肪計測方法である。
2004073517.tif 000009
ここで、Ｓは、前記内臓脂肪の量、
Ｆは、前記押し当て圧力計測部で計測した前記生体表面へ加わる圧力、
Ｔは、前記皮下脂肪計測部で計測した皮下脂肪厚、
Ａ、Ｂ、Ｃ、Ｄ、Ｅは、所定の定数、
ｅは、自然対数の底
また、第２１の本発明は、生体表面に所定の圧力値以上で所定の面部を圧着させて皮下脂肪厚を計測する皮下脂肪計測ステップと、
前記皮下脂肪計測部で計測した皮下脂肪厚に基づいて、数３を利用して内臓脂肪の量を算出する内臓脂肪演算ステップとを備えた、内臓脂肪計測方法である。
2004073517.tif 000010
ここで、Ｓは、前記内臓脂肪の量、
Ｔ∞は、前記皮下脂肪計測部で計測した皮下脂肪厚、
Ｄ、Ｅは、所定の定数
また、第２２の本発明は、生体表面に所定の面部を圧着させて皮下脂肪厚を計測する皮下脂肪計測ステップと、
前記皮下脂肪計測部から前記生体表面へ加わる圧力を計測する押し当て圧力計測ステップと、
腹囲を入力する腹囲入力部を有し、前記皮下脂肪計測部で計測した皮下脂肪厚と、前記押し当て圧力計測部で計測した前記生体表面へ加わる圧力に基づいて、数５を利用して内臓脂肪の量を算出する内臓脂肪演算ステップとを備えた、内臓脂肪計測方法である。
2004073517.tif 000011
ここで、Ｓは、前記内臓脂肪の量、
Ｆは、前記押し当て圧力計測部で計測した前記生体表面へ加わる圧力、
Ｔは、前記皮下脂肪計測部で計測した皮下脂肪厚、
Ｌは、前記腹囲
Ａ、Ｂ、Ｃ、Ｄ、Ｅ、Ｇ、Ｈ、Ｉは、所定の定数
ｅは、自然対数の底
また、第２３の本発明は、生体表面に所定の圧力値以上で所定の面部を圧着させて皮下脂肪厚を計測する皮下脂肪計測ステップと、
腹囲を入力する腹囲入力部を有し、前記皮下脂肪計測部で計測した皮下脂肪厚に基づいて、数６を利用して内臓脂肪の量を算出する内臓脂肪演算ステップとを備えた、内臓脂肪計測方法である。
2004073517.tif 000012
ここで、Ｓは、前記内臓脂肪の量、
Ｔ∞は、前記皮下脂肪計測部で計測した皮下脂肪厚、
Ｌは、前記腹囲
Ｇ、Ｈ、Ｉは、所定の定数
また、第２４の本発明は、第１の本発明の内臓脂肪計測装置の、前記皮下脂肪計測部で計測した皮下脂肪厚に基づいて前記生体表面への圧力が無い状態での皮下脂肪厚を算出する演算部と、
算出された前記皮下脂肪厚から内臓脂肪量と相関性を有する情報量を算出する内臓脂肪演算部として、コンピュータを機能させるためのプログラムである。
また、第２５の本発明は、請求項５記載の内臓脂肪計測装置の、前記皮下脂肪計測部で計測した皮下脂肪厚と、前記押し当て圧力計測部で計測した前記生体表面へ加わる圧力に基づいて、数２を利用して内臓脂肪の量を算出する内臓脂肪演算部として、コンピュータを機能させるためのプログラムである。
2004073517.tif 000013
ここで、Ｓは、前記内臓脂肪の量、
Ｆは、前記押し当て圧力計測部で計測した前記生体表面へ加わる圧力、
Ｔは、前記皮下脂肪計測部で計測した皮下脂肪厚、
Ａ、Ｂ、Ｃ、Ｄ、Ｅは、所定の定数、
ｅは、自然対数の底
また、第２６の本発明は、第６の本発明の内臓脂肪計測装置の、前記皮下脂肪計測部で計測した皮下脂肪厚に基づいて、数３を利用して内臓脂肪の量を算出する内臓脂肪演算部として、コンピュータを機能させるためのプログラムである。
2004073517.tif 000014
ここで、Ｓは、前記内臓脂肪の量、
Ｔ∞は、前記皮下脂肪計測部で計測した皮下脂肪厚、
Ｄ、Ｅは、所定の定数
また、第２７の本発明は、第８の本発明の内臓脂肪計測装置の、腹囲を入力する腹囲入力部を有し、前記皮下脂肪計測部で計測した皮下脂肪厚と、前記押し当て圧力計測部で計測した前記生体表面へ加わる圧力に基づいて、数５を利用して内臓脂肪の量を算出する内臓脂肪演算部として、コンピュータを機能させるためのプログラムである。
2004073517.tif 000015
ここで、Ｓは、前記内臓脂肪の量、
Ｆは、前記押し当て圧力計測部で計測した前記生体表面へ加わる圧力、
Ｔは、前記皮下脂肪計測部で計測した皮下脂肪厚、
Ｌは、前記腹囲
Ａ、Ｂ、Ｃ、Ｄ、Ｅ、Ｇ、Ｈ、Ｉは、所定の定数
ｅは、自然対数の底
また、第２８の本発明は、第９の本発明の内臓脂肪計測装置の、腹囲を入力する腹囲入力部を有し、前記皮下脂肪計測部で計測した皮下脂肪厚に基づいて、数６を利用して内臓脂肪の量を算出する内臓脂肪演算部として、コンピュータを機能させるためのプログラムである。
2004073517.tif 000016
ここで、Ｓは、前記内臓脂肪の量、
Ｔ∞は、前記皮下脂肪計測部で計測した皮下脂肪厚、
Ｌは、前記腹囲
Ｇ、Ｈ、Ｉは、所定の定数
また、第２９の本発明は、第２４〜２８の本発明のいずれかのプログラムを担持した記録媒体であって、コンピュータにより処理可能な記録媒体である。
本発明の原理について簡単に説明する。
本発明の内臓脂肪計測装置は、可視光から近赤外光領域波長の光を生体表面から生体内に照射した時の拡散反射光を計測することにより皮下脂肪厚を算出するか、もしくは超音波の反射波を計測することで皮下脂肪厚を算出する、皮下脂肪計測部を有する。また本発明の内臓脂肪計測装置は、皮下脂肪計測部を生体表面に押し当てた圧力を計測する押し当て圧力計測部を有している。本発明の説明において、この皮下脂肪計測部が生体表面に押し当てる圧力を、押し当て圧力と呼ぶ。
皮下脂肪計測部で計測された皮下脂肪厚と、押し当て圧力計測部で計測された押し当て圧力との関係は図１のような曲線になる。図１に示すように、押し当て圧力が無い状態での複数の異なる皮下脂肪厚毎に異なる曲線となるが、この曲線は押し当て圧力とそのときに計測される皮下脂肪厚により一意的に決まる。従って、予めこれらの曲線のデータを得ておき、この曲線の関係を用いることにより、押し当て圧力の無い状態での皮下脂肪厚を求めることができる。例えば、計測した皮下脂肪厚がＨ１であり、その皮下脂肪厚を計測したときの押し当て圧力がＰ１であった場合、図１より、Ｈ１に対して、押し当て圧力の無い状態での皮下脂肪厚Ｈ２を一意に求めることができる。本発明の内臓脂肪計測装置が有する演算部は、この複数の曲線の情報を持つデータベースを用いて、押し当て圧力の無い状態での皮下脂肪厚を高精度に算出する。そして、このようにして算出された、押し当て圧力の無い状態での皮下脂肪厚から内臓脂肪演算部が内臓脂肪量と相関性を有する情報量を算出する。
また、皮下脂肪計測部で計測された皮下脂肪厚と、押し当て圧力との関係は、押し当て圧力が大きい場合、図２のようになる。すなわち、押し当て圧力がある一定の値以上であれば、測定される皮下脂肪厚は太線で示すように一定の安定した値となる。この押し当て圧力のある一定の値は、皮下脂肪厚が厚くなるほど大きくなる。従って、皮下脂肪厚が非常に厚い場合のこの押し当て圧力の一定の値よりも大きい圧力値を規定値とすることにより、押し当て圧力がその規定値以上であれば、皮下脂肪の厚さに関わらず、皮下脂肪計測部は安定した太線の部分の皮下脂肪厚の値を計測できることになる。そして、図２の曲線は、この安定した太線の部分の皮下脂肪厚により一意的に決まる。図２の曲線のデータを予め得ておき、この曲線の関係を用いることにより、安定した太線の部分の皮下脂肪厚の値から、押し当て圧力の無い状態での皮下脂肪厚を求めることができる。例えば図２において、規定値の押し当て圧力Ｐ２を加えた状態で計測された皮下脂肪厚がＨ３であった場合、この曲線の関係を用いることにより、Ｈ３に対して、押し当て圧力の無い状態での皮下脂肪厚Ｈ４を一意に求めることができる。前述した図１の関係を用いる場合には、曲線上の全データが必要となるが、図２の関係を用いる場合には、規定値以上の押し当て圧力で計測した各皮下脂肪厚に対して、押し当て圧力の無い状態での皮下脂肪厚の値のみ関連付けられていればよい。図２の場合の本発明の内臓脂肪計測装置が有する演算部は、規定値以上の押し当て圧力で計測される皮下脂肪厚と、それに対する押し当て圧力の無い状態での皮下脂肪厚のデータを持つデータベースを用いて、押し当て圧力の無い状態での皮下脂肪厚を高精度に算出する。そして、このようにして算出された、押し当て圧力の無い状態での皮下脂肪厚から内臓脂肪演算部が内臓脂肪量と相関性を有する情報量を算出する。
このように、本発明の内臓脂肪計測装置は、上記で得られた、再現性の良い押し当て圧力の無い状態での皮下脂肪厚の値を利用するものである。
【図面の簡単な説明】  図１は、押し当て圧力と皮下脂肪厚の関係から押し当て圧力が無い状態での皮下脂肪厚を導出する、本発明の第１の原理の説明図である。
図２は、押し当て圧力と皮下脂肪厚の関係から押し当て圧力が無い状態での皮下脂肪厚を導出する、本発明の第２の原理の説明図である。
図３は、本発明の実施の形態１の内臓脂肪計測装置の構成図である。
図４は、本発明の実施の形態１の皮下脂肪計測部の平面図である。
図５は、本発明の実施の形態１における押し当て圧力と皮下脂肪厚の関係を示す図である。
図６は、本発明の実施の形態２の内臓脂肪計測装置の構成図である。
図７は、本発明の実施の形態２の超音波素子で観測される波形の概念図である。
図８は、本発明の実施の形態２の押し当て圧力計測部で計測した押し当て圧力と皮下脂肪厚の関係を示す図である。
図９は、本発明の実施の形態３の内臓脂肪計測装置の構成図である。
図１０は、本発明の実施の形態３における押し当て圧力と皮下脂肪厚の関係を示す図である。
図１１は、本発明の実施の形態３における押し当て圧力の規定値決定のための、押し当て圧力と皮下脂肪厚の関係を示す図である。
図１２は、本発明の実施の形態４における内臓脂肪計測装置の構成図である。
図１３は、本発明の実施の形態５における内臓脂肪計測装置の構成図である。
図１４は、本発明の実施の形態６における内臓脂肪計測装置の構成図である。
図１５は、本発明の実施の形態７の内臓脂肪量と相関性を有する情報量決定のための、内臓脂肪面積と皮下脂肪厚との関係を示す生体の胴部の断面図である。
図１６は、本発明の実施の形態８の内臓脂肪計測装置の構成図である。
図１７は、本発明の実施の形態９の内臓脂肪計測装置の構成図である。
図１８は、本発明の実施の形態１０の内臓脂肪計測装置の構成図である。
【符号の説明】
１  生体表面
２  皮下脂肪計測部
３  ＬＥＤ
４  第１のフォトダイオード
５  第２のフォトダイオード
６  押し当て圧力計測部
７  演算部
８  超音波素子
９  軟体
１０  ドーム状の蓋
１１  第１の波
１２  第２の波
１３  押し当て圧力検知部
１４  皮下脂肪
１５  内臓脂肪面積
１６  生体
１７  腹囲計測部
１８  ひも
１９  リール
２０  カウンタ
２１  突起
２２  固定部
２３  張力調整部
２４  内臓脂肪演算部
２５  圧力／脂肪厚関連データ
２６  安定脂肪厚関連データ
３０  皮膚
３１  筋肉
５１  内臓脂肪演算部
５２  内臓脂肪演算部
５３  内臓脂肪演算部
５４  内臓脂肪演算部
５５  内臓脂肪演算部
【発明を実施するための最良の形態】  以下、本発明の実施の形態について、図面を用いて説明する。
（実施の形態１）
図３は、本発明の実施の形態１の内臓脂肪計測装置の構成を示している。
生体表面１上に配置された皮下脂肪計測部２は、光式皮下脂肪計測装置であり、内部に中心波長６６０ｎｍのＬＥＤ３が配置され、第１のフォトダイオード４が４５ｍｍの距離、第２のフォトダイオード５が２２．５ｍｍの距離を離して配置されている。図４に、皮下脂肪計測部２の平面図を示す。皮下脂肪計測部２の生体表面１に接する部分の形状は、図４のように両端が半円形状となる小判型である。この小判型の生体表面１に接する面が、本発明の生体表面１に圧着させる皮下脂肪計測部２の面部であり、ＬＥＤ３の発光波長の領域での反射率が０．２以下の材質でできているか、または塗装されている。皮下脂肪計測部２が生体表面１に加える押し当て圧力を計測する押し当て圧力計測部６は、ロードセルおよびその周辺回路からなる。そして、押し当て圧力の無い状態での皮下脂肪厚を算出する演算部７が備えられている。圧力／脂肪厚関連データ２５は、図１に示すような、皮下脂肪厚計測の際に生体表面１に加わっている押し当て圧力と、そのときに計測される皮下脂肪厚との関係についての情報を、複数の皮下脂肪厚について有するデータベースである。また、押し当て圧力が無い状態での皮下脂肪厚から内臓脂肪の量を算出する内臓脂肪演算部５１が備えられている。また、１４は皮下脂肪、３０は皮膚、３１は筋肉である。
次に、本実施の形態１の内臓脂肪計測装置の動作について説明するとともに、皮下脂肪計測方法の実施の形態について説明する。
ＬＥＤ３から出射され、生体内部で散乱・減衰を繰り返し、再び生体表面に現れた光を計測したときの第１のフォトダイオード４での受光量Ｖ１と、第２のフォトダイオード５での受光量Ｖ２とから、皮下脂肪厚Ｔは、数７のように表される。
2004073517.tif 000017
ここでＡ、Ｂは、ＬＥＤ３の波長および出射特性やフォトダイオード４、５の受光特性により、一意に決定される。ここで、ＬＥＤ３の波長は６００〜１０００ｎｍであればよい。
そして、皮下脂肪厚が厚い場合と薄い場合について、本実施の形態１の内臓脂肪計測装置を用いて計測した押し当て圧力と皮下脂肪厚の関係は図５のようになり、図１で示す押し当て圧力と皮下脂肪厚との曲線関係があることがわかる。
圧力／脂肪厚関連データ２５は、この、押し当て圧力と、皮下脂肪計測部２で計測した皮下脂肪厚の関係についての情報を、複数の皮下脂肪厚について有するデータベースである。
まず、圧力／脂肪厚関連データ２５を作成する。押し当て圧力が無い状態での複数の皮下脂肪厚の各々について、押し当て圧力が無い状態も含めた複数の押し当て圧力での皮下脂肪厚の測定、及びその皮下脂肪厚側定時の押し当て圧力の計測を行ない、これらのデータを取得する。これらのデータ取得の際、必ずしも全て測定を本実施の形態１の内臓脂肪計測装置で行なう必要は無く、計測値が本実施の形態１の内臓脂肪計測装置と相関性のある他の内臓脂肪計測装置または皮下脂肪厚計測装置で測定してもよい。そして、得られた複数の押し当て圧力で計測した皮下脂肪厚の値とその皮下脂肪厚側定時の押し当て圧力の値を、本実施の形態１の内臓脂肪計測装置における測定値に換算し、複数の押し当て圧力が無い状態での皮下脂肪厚の値と関連付けて、圧力／脂肪厚関連データ２５を作成する。
本実施の形態１の内臓脂肪計測装置は、上記で作成した圧力／脂肪厚関連データ２５を利用して、皮下脂肪厚の計測を行なう。以下、その皮下脂肪厚の計測の動作及び方法について説明する。
皮下脂肪厚計測部２で計測された皮下脂肪厚が演算部７に送信されると共に、その皮下脂肪厚を測定した時の皮下脂肪計測部２が生体表面１に加えていた押し当て圧力を押し当て圧力計測部６が計測し、その押し当て圧力の値が演算部７に送信される。演算部７は、上記で作成した圧力／脂肪厚関連データ２５を用いて、計測された押し当て圧力と計測された皮下脂肪厚に基づいて、押し当て圧力が０の場合の皮下脂肪厚、すなわち押し当て圧力の無い状態での皮下脂肪厚の値を算出する。
次に、演算部７で算出された押し当て圧力の無い状態での皮下脂肪厚が内臓脂肪演算部５１に送信される。内臓脂肪演算部５１は、その送信されてきた皮下脂肪厚から内臓脂肪の量などの内臓脂肪量と相関性を有する情報量を算出する。
すなわち、内臓脂肪演算部５１は、以下の数１を利用して、内臓脂肪の量Ｓを算出する。
2004073517.tif 000018
ここで、Ｓは、内臓脂肪の量、
Ｔ０は、算出された、生体表面への圧力が無い状態での皮下脂肪厚、
Ｄ０、Ｅ０は、所定の定数
すなわち、数１は、押し当て圧力の無い状態での皮下脂肪厚Ｔ０が大きければ大きいほど内臓脂肪の量Ｓも大きくなるという相関性を示している。
なお、所定の定数Ｄ０、Ｅ０は、予め以下のような方法により求めておく。
すなわち、押し当て圧力が無い状態での複数の皮下脂肪厚の各々について、内臓脂肪の量を算出する。内臓脂肪の量の算出は、例えば生体のＸ線ＣＴの断層画像で白く映っている部分の面積を求めこれを内臓脂肪の量とすればよい。これらのデータ取得の際、必ずしも全て測定を本実施の形態１の内臓脂肪計測装置で行なう必要は無く、計測値が本実施の形態１の内臓脂肪計測装置と相関性のある他の内臓脂肪計測装置で測定してもよい。このようにして押し当て圧力が無い状態での皮下脂肪厚と内臓脂肪の量との値の複数の組が得られる。このようにして得られた値の複数の組について、回帰分析を行い、数１に用いられる所定の定数Ｄ０、及びＥ０を決定する。
このように、本実施の形態１の内臓脂肪計測装置は、押し当て圧力の無い状態での皮下脂肪厚を正確に計測することが出来るので、内臓脂肪の量などの内臓脂肪量に相関性のある情報を正確に計測することが出来る。
（実施の形態２）
図６は、本発明の実施の形態２の内臓脂肪計測装置の構成を示している。
本実施の形態２は、実施の形態１の皮下脂肪計測部２を、超音波素子８およびその周辺回路を組み込んだ超音波計測装置としたものであり、その他の構成は実施の形態１と同様である。
超音波素子８と生体表面１の間の密閉された空間は軟体９で満たされており、軟体は堅牢なドーム状の蓋１０で覆われている。軟体９は、超音波を遅延させる超音波遅延線であって、シリコンゴムや樹脂から成る、もしくは柔らかい透明フィルムでジェルや水を覆ったものである。そして、このドーム状の蓋１０が生体表面１に接する面の形状は、図４に示す実施の形態１の皮下脂肪計測部２と同様の、両端が半円形状の小判型である。
次に、本実施の形態２の内臓脂肪計測装置の動作について説明する。
超音波素子８から出射されたパルス波が、各生体組織の界面で反射し、超音波素子８で観測される波形は図７のようになる。その波形は、皮膚３０での反射波である第１の波１１、皮下脂肪１４と筋肉３１の境界の反射波である第２の波１２の順にならぶ。これらの２つの波の時間差ｔに超音波の速度ｖを掛け合わせた値の半分が皮下脂肪厚となる。
ここで、軟体９は生体表面１と超音波素子８の接合性を向上させるだけでなく、生体内部での多重反射および超音波のサイドローブの影響を減少させることができる。しかも、超音波素子８、ドーム状の蓋１０、生体表面１で囲まれているために、押し当て圧力が変化しても軟体９の形状は変化しない。そのため、観測される第１の波１１の位置は押し当て圧力にかかわらず安定し、皮下脂肪の厚みの変化に対して第２の波１２の位置のみが変化する。これに対し、軟体９の形状が固定されない場合には、皮下脂肪の厚みの変化に対して、第１の波１１と第２の波１２とが共に変化してしまう。従って、軟体９の形状が固定されない場合に比べて、安定した皮下脂肪厚の計測が可能となる。
本実施の形態２の皮下脂肪計測部２で計測した皮下脂肪厚と、押し当て圧力計測部６で計測した押し当て圧力の関係を図８に示す。実施の形態１の場合と同様に、図１で示す押し当て圧力と皮下脂肪厚との曲線関係があることがわかる。
実施の形態１と同様に、まず、圧力／脂肪厚関連データ２５のデータベースを作成する。複数の押し当て圧力の無い状態での皮下脂肪厚の各々について、押し当て圧力が無い状態も含めた複数の押し当て圧力での皮下脂肪厚の測定、及びその皮下脂肪厚側定時の押し当て圧力の計測を行ない、これらのデータを取得する。そして、得られた複数の押し当て圧力で計測した皮下脂肪厚の値とその皮下脂肪厚側定時の押し当て圧力の値を、複数の押し当て圧力が無い状態での皮下脂肪厚の値と関連付けて、圧力／脂肪厚関連データー２５を作成する。ここで、実施の形態１と同様に、これらのデータ取得時に必ずしも本実施の形態２の内臓脂肪計測装置を使用する必要はない。本実施の形態２の内臓脂肪計測装置以外の他の内臓脂肪計測装置で測定した測定値を使用する場合には、本実施の形態２の内臓脂肪計測装置における測定値に換算した値から圧力／脂肪厚関連データ２５を作成する。
本実施の形態２の内臓脂肪計測装置は、上記で作成した圧力／脂肪厚関連データ２５を利用して、皮下脂肪厚の計測を行なう。実施の形態１の場合と同様に、皮下脂肪厚計測部２で計測された皮下脂肪厚と押し当て圧力計測部６で計測された押し当て圧力に基づき、圧力／脂肪厚関連データ２５を用いて、演算部７は押し当て圧力の無い状態での皮下脂肪厚を算出することができる。
次に、演算部７で算出された押し当て圧力の無い状態での皮下脂肪厚が内臓脂肪演算部５１に送信される。内臓脂肪演算部５１は、その送信されてきた皮下脂肪厚から内臓脂肪の量などの内臓脂肪量と相関性を有する情報量を算出する。なお、内臓脂肪演算部５１は、実施の形態１と同様のものであるので詳細な説明は省略する。
なお、本実施の形態２の皮下脂肪計測部２は、１つの超音波素子８で皮下脂肪厚を計測することとしたが、超音波素子８は複数存在するか、または超音波素子８を生体表面１に対して平行に走査し、得られた断層画像から皮下脂肪厚を測定してもよい。
（実施の形態３）
図９は、本発明の実施の形態３の内臓脂肪計測装置の構成を示している。実施の形態１と同様の部分に関しては省略し、相違な点についてのみ記述する。
実施の形態１と構造が異なる点は、押し当て圧力計測部６が押し当て圧力検知部１３となっている点、及び圧力／脂肪厚関連データ２５が安定脂肪厚関連データ２６となっている点の２点である。押し当て圧力検知部１３は、ばねとスイッチからなる構造で、皮下脂肪計測部２が生体表面１に加える押し当て圧力が規定値の１００００Ｐａ以上となったときにスイッチがＯＮとなる。この押し当て圧力の規定値とは、本発明の所定の圧力値であって、皮下脂肪の厚さに関係なく、安定した皮下脂肪厚の計測値が得られる押し当て圧力の値である。安定脂肪厚関連データ２６は、図２に示すような、規定値以上の押し当て圧力を加えている状態で計測した皮下脂肪厚と、その皮下脂肪厚に対する押し当て圧力の無い状態での皮下脂肪厚の関係の情報を、複数の皮下脂肪厚について有するデータベースである。
以下、本実施の形態３の内臓脂肪計測装置の動作について説明するとともに、皮下脂肪計測方法の実施の形態について説明する。
まず、皮下脂肪計測部２を生体表面１に押し当てる。図１０に、測定した押し当て圧力と皮下脂肪厚の関係を示す。この場合、押し当て圧力が約６０００Ｐａ以上になると、皮下脂肪厚の収縮が止まり皮下脂肪厚が安定することがわかる。これにより、図２で示す押し当て圧力と皮下脂肪厚との曲線関係があることがわかる。
安定脂肪厚関連データ２６は、押し当て圧力が１００００Ｐａ以上のときに皮下脂肪計測部２で計測した皮下脂肪厚と、その計測された皮下脂肪厚に対する押し当て圧力が無い状態での皮下脂肪厚との関係についての情報を、複数の皮下脂肪厚について有するデータベースである。
まず、安定脂肪厚関連データ２６を作成する。押し当て圧力が１００００Ｐａのときの複数の皮下脂肪厚の測定と、その複数の皮下脂肪厚の各々に対する押し当て圧力が無い状態での皮下脂肪厚の測定を行ない、これらのデータを取得する。押し当て圧力が無い状態での皮下脂肪厚の測定は、本実施の形態３の内臓脂肪計測装置以外の内臓脂肪計測装置で測定してもよい。そして、本実施の形態３の内臓脂肪計測装置で１００００Ｐａの押し当て圧力のときに測定した複数の皮下脂肪厚と、その測定された各皮下脂肪厚に対する押し当て圧力が無い状態での皮下脂肪厚の値を関連付けて、安定脂肪厚関連データ２６のデータベースを作成する。
本実施の形態３の内臓脂肪計測装置は、上記で作成した安定脂肪厚関連データ２６を利用して、皮下脂肪厚の計測を行なう。以下、その皮下脂肪厚の計測の動作及び方法について説明する。
押し当て圧力が１００００Ｐａ以上になると、押し当て圧力検知部１３のスイッチがＯＮとなり、皮下脂肪計測部２で計測された皮下脂肪厚のデータが、皮下脂肪計測部２から演算部７に出力される。演算部７では、上記で作成した安定脂肪厚関連データ２６を用いて、皮下脂肪計測部２で計測された皮下脂肪厚のデータから、押し当て圧力が無い状態での皮下脂肪厚を算出する。図１０の場合には、規定値である押し当て圧力が１００００Ｐａの状態で皮下脂肪計測部２で計測された皮下脂肪厚が１５ｍｍであり、その皮下脂肪厚１５ｍｍに対する押し当て圧力が無い状態での皮下脂肪厚として３５ｍｍという値が演算部７にて算出される。
次に、演算部７で算出された押し当て圧力の無い状態での皮下脂肪厚が内臓脂肪演算部５１に送信される。内臓脂肪演算部５１は、その送信されてきた皮下脂肪厚から内臓脂肪の量などの内臓脂肪量と相関性を有する情報量を算出する。なお、内臓脂肪演算部５１は、実施の形態１で説明したものと同様であるので詳細な説明は省略する。
次に、押し当て圧力の規定値について説明する。
図１１は、皮下脂肪計測部２の形状のみが本実施の形態３とは異なる内臓脂肪計測装置で計測した時の、皮下脂肪厚と押し当て圧力の関係を示した図であり、異なる３種類の皮下脂肪厚について示している。皮下脂肪計測部２の形状が異なる場合でも、皮下脂肪厚と押し当て圧力との関係は、本実施の形態３と同様の曲線関係となる。
人体で最も皮下脂肪の厚い腹部において、男性でほぼ１００％、女性でも約９５％で、その皮下脂肪厚は５０ｍｍ以下である。従って、図１１の×印のプロットで示される曲線から、１００００Ｐａ以上の押し当て圧力にて、ほぼ全ての人の皮下脂肪厚は安定し、再現性のよい皮下脂肪厚の計測が可能になると言える。これにより、押し当て圧力の規定値を１００００Ｐａとした。
なお、実施の形態２と同様に、皮下脂肪計測部２は超音波素子を用いたものでも良い。
さらに、実施の形態３の内臓脂肪計測装置は、押し当て圧力検知部１３を備えているとして説明したが、押し当て圧力検知部１３を備えていない構成であっても構わない。内臓脂肪計測装置が押し当て圧力検知部１３を備えていない場合には、皮下脂肪計測部２を生体表面１に押し当て圧力の規定値を超えるように強く押し付けて皮下脂肪計測部２で皮下脂肪厚を計測することにより、押し当て圧力検知部１３を備えていなくても安定した皮下脂肪厚の計測をすることが出来る。
本実施の形態３の内臓脂肪計測装置により、測定中の押し当て圧力のばらつきによる測定誤差は軽減され、安定した計測が可能となり、測定再現性が向上する。
また、押し当て圧力計測部に高価なロードセルおよび周辺回路を用いず、ばねとスイッチの単純な構成で同等以上の測定が可能となる。
（実施の形態４）
図１２は、本発明の実施の形態４の内臓脂肪計測装置の構成を示している。
実施の形態４の内臓脂肪計測装置は、実施の形態１における図３の内臓脂肪計測装置とは、以下の点が相違している。すなわち、実施の形態４の内臓脂肪計測装置は、図３の内臓脂肪計測装置とは異なり、圧力／脂肪厚関連データ２５を備えていない。また、演算部７の代わりに内臓脂肪演算部５２を備えている。それ以外は実施の形態１における図３の内臓脂肪計測装置と同様である。
次に、このような本実施の形態の動作を説明する。
皮下脂肪厚計測部２で計測された皮下脂肪厚が内臓脂肪演算部５２に送信されると共に、その皮下脂肪厚を測定した時の皮下脂肪計測部２が生体表面１に加えていた押し当て圧力を押し当て圧力計測部６が計測し、その押し当て圧力の値が内臓脂肪演算部５２に送信される。内臓脂肪演算部５２は、皮下脂肪厚計測部２で計測された皮下脂肪厚と、圧力計測部６が計測した押し当て圧力の値から、内臓脂肪の量などの内臓脂肪量と相関性を有する情報量を算出する。すなわち、内臓脂肪演算部５２は、以下の数２を利用して内臓脂肪の量Ｓを算出する。
2004073517.tif 000019
ここで、Ｓは、内臓脂肪の量、
Ｆは、押し当て圧力計測部で計測した生体表面へ加わる圧力、
Ｔは、皮下脂肪計測部で計測した皮下脂肪厚、
Ａ、Ｂ、Ｃ、Ｄ、Ｅは、所定の定数、
ｅは、自然対数の底
皮下脂肪計測部で計測した皮下脂肪厚Ｔは、押し当て圧力Ｆによって変動する。すなわち、押し当て圧力Ｆが大きくなれば計測される皮下脂肪厚Ｔは小さくなり、押し当て圧力Ｆが小さくなれば計測される皮下脂肪厚Ｔは大きくなる。数２は、押し当て圧力Ｆのばらつきによる皮下脂肪厚Ｔのばらつきを補正し、正確な内臓脂肪の量Ｓを求めるものである。
ここで、数２について説明する。
今、押し当て圧力が規定値以上の場合に皮下脂肪計測部で計測した皮下脂肪厚をＴ∞、押し当て圧力が無い状態での皮下脂肪厚をＴ０、押し当て圧力が任意の値の場合に皮下脂肪計測部で計測された皮下脂肪厚をＴ、押し当て圧力をＦとすると、これらの間には以下の関係がある。
Ｔ＝（Ｔ０−Ｔ∞）ｅ−ＣＦ＋Ｔ∞
ただしＣは所定の定数である。例えば、Ｃは、押し当て圧力が１００００Ｐａの場合を考慮して、ｅ−１００００Ｃ＝１０−３を満たすような値とすればよいが、これに限らず、押し当て圧力が１００００Ｐａの場合に、ｅ−１００００Ｃが無視出来るくらい小さな値になるようなＣであれば、ｅ−１００００Ｃ＝１０−３を満たすような値以外の値であっても構わない。
この式は、皮下脂肪計測部で計測した皮下脂肪厚Ｔは押し当て圧力が増加するにつれて指数関数的に減少することを示している。そして、押し当て圧力が規定値以上になった場合、皮下脂肪厚は、実質上Ｔ∞に一致することを示している。
Ｔ０は、所定の定数Ａ、Ｂを用いて、以下のように表すことが出来る。
Ｔ０＝ＡＴ∞＋Ｂ
ここで、Ａ、Ｂは、皮下脂肪計測部の形状に依存する定数である。本実施の形態の皮下脂肪計測部２を用いた場合、皮下脂肪厚の単位をｍｍとするときには、Ａは１．４、Ｂは０．５になる。この式を  Ｔ、Ｔ０、Ｔ∞の間の関係式に代入すると、以下のようになる。
Ｔ＝（Ｔ０−Ｔ∞）ｅ−ＣＦ＋Ｔ∞
＝（（Ａ−１）Ｔ∞＋Ｂ）ｅ−ＣＦ＋Ｔ∞
＝Ｔ∞（（Ａ−１）ｅ−ＣＦ＋１）＋Ｂｅ−ＣＦ
従ってＴ∞を求めると、以下のようになる。
Ｔ∞＝（Ｔ−Ｂｅ−ＣＦ）／（（Ａ−１）ｅ−ＣＦ＋１）
この式を、後述する数３に代入することにより、数２を得ることが出来る。
このように、本実施の形態４の内臓脂肪計測装置は、押し当て圧力のばらつきによる皮下脂肪厚のばらつきを正しく補正し、内臓脂肪の量などの内臓脂肪量に相関性のある情報を正確に計測することが出来る。
（実施の形態５）
図１３は、本発明の実施の形態５の内臓脂肪計測装置の構成を示している。
実施の形態５の内臓脂肪計測装置は、実施の形態２における図６の内臓脂肪計測装置とは、以下の点が相違している。すなわち、実施の形態５の内臓脂肪計測装置は、図３の内臓脂肪計測装置とは異なり、圧力／脂肪厚関連データ２５を備えていない。また、演算部７の代わりに内臓脂肪演算部５２を備えている。それ以外は実施の形態２における図６の内臓脂肪計測装置と同様である。
次に、このような本実施の形態の動作を説明する。
皮下脂肪厚計測部２では、皮下脂肪厚が計測され、押し当て圧力計測部６では、押し当て圧力が計測される。内臓脂肪演算部５２は、皮下脂肪厚計測部２で計測された皮下脂肪厚と、圧力計測部６が計測した押し当て圧力の値から、内臓脂肪の量などの内臓脂肪量と相関性を有する情報量を算出する。なお、内臓脂肪演算部５２は実施の形態１のものと同様である。
このように、本実施の形態５の内臓脂肪計測装置は、実施の形態４と同様に押し当て圧力のばらつきによる皮下脂肪厚のばらつきを正しく補正し、内臓脂肪の量などの内臓脂肪量に相関性のある情報を正確に計測することが出来る。
（実施の形態６）
図１４は、本発明の実施の形態６の内臓脂肪計測装置の構成を示している。
実施の形態６の内臓脂肪計測装置は、実施の形態３における図９の内臓脂肪計測装置とは、以下の点が相違している。すなわち、実施の形態６の内臓脂肪計測装置は、図９の内臓脂肪計測装置とは異なり、安定脂肪厚関連データ２６を備えていない。また、演算部７の代わりに内臓脂肪演算部５３を備えている。それ以外は実施の形態３における図９の内臓脂肪計測装置と同様である。
次に、このような本実施の形態の動作を説明する。
皮下脂肪厚計測部２で計測された皮下脂肪厚が内臓脂肪演算部５２に送信される。皮下脂肪厚計測部２で計測された皮下脂肪厚は、実施の形態３で説明したように、押し当て圧力が規定値以上の場合に計測された皮下脂肪厚であって、皮下脂肪の厚さに関係なく、安定した計測値が得られている。
内臓脂肪演算部５３は、皮下脂肪厚計測部２で計測された押し当て圧力が規定値以上の場合に計測された皮下脂肪厚から、内臓脂肪の量などの内臓脂肪量と相関性を有する情報量を算出する。すなわち、内臓脂肪演算部５３は、以下の数３を利用して内臓脂肪の量Ｓを算出する。
2004073517.tif 000020
ここで、Ｓは、内臓脂肪の量、
Ｔ∞は、皮下脂肪計測部で計測した皮下脂肪厚、
Ｄ、Ｅは、所定の定数
すなわち、数３は、押し当て圧力が規定値以上の場合に計測された皮下脂肪厚Ｔ∞が大きければ大きいほど内臓脂肪の量Ｓも大きくなるという相関性を示している。
なお、所定の定数Ｄ、Ｅは、予め以下のような方法により求めておく。
すなわち、押し当て圧力が無い状態での複数の皮下脂肪厚の各々について、内臓脂肪の量を算出する。内臓脂肪の量の算出は、例えば生体のＸ線ＣＴの断層画像で白く映っている部分の面積を求めこれを内臓脂肪の量とすればよい。これらのデータ取得の際、必ずしも全て測定を本実施の形態６の内臓脂肪計測装置で行なう必要は無く、計測値が本実施の形態６の内臓脂肪計測装置と相関性のある他の内臓脂肪計測装置で測定してもよい。このようにして押し当て圧力が規定値状の場合の皮下脂肪厚と内臓脂肪の量との値の複数の組が得られる。このようにして得られた値の複数の組について、回帰分析を行い、数３に用いられる所定の定数Ｄ、及びＥを決定する。
このように、本実施の形態６の内臓脂肪計測装置は、押し当て圧力が規定値以上の場合の皮下脂肪厚を正確に計測することが出来るので、内臓脂肪の量などの内臓脂肪量に相関性のある情報を正確に計測することが出来る。
（実施の形態７）
本発明の実施の形態７の内臓脂肪計測方法について、図１５を用いて説明する。図１５は、生体の胴部をほぼ円とした時の、腹囲部分の断面図である。同じ腹囲でも、左図の皮下脂肪１４が薄い場合と、右図の皮下脂肪１４が厚い場合では、内部に含まれる内臓脂肪面積１５には大きな差がある。
ここで、腹囲に対して皮下脂肪１４のばらつきを補正する必要がある。そのためには、生体表面に力がかからない状態での皮下脂肪厚が必要であるので、押し当て圧力が無い状態での皮下脂肪厚の測定に、実施の形態１乃至３のいずれかの内臓脂肪計測装置を用いる。
さらに、メジャーなどで腹囲Ｌを計測し、腹囲Ｌと押し当て圧力が無い状態での皮下脂肪厚Ｔ０から、皮下脂肪厚を除いた腹囲Ｌ’は、生体の臍付近の断面がほぼ円であることから、数８のように求められる。
2004073517.tif 000021
この方法により、皮下脂肪厚の違いによるばらつきを抑えた、精度の良い内臓脂肪量の指標となる、内臓脂肪量と相関性を有する情報量である皮下脂肪厚を除いた腹囲Ｌ’を得ることができる。
また、内臓脂肪の量をＳとすると、上記皮下脂肪厚を除いた腹囲Ｌ’を用いて、次のように表すことが出来る。
Ｓ＝ＡＬ’＋Ｂ
ここで、Ａ及びＢは所定の定数である。
この式に数８を代入すると、内臓脂肪の量Ｓは、以下のように表すことが出来る。
Ｓ＝Ａ（Ｌ−２×π×Ｔ０）＋Ｂ
＝ＡＬ−２×π×Ａ×Ｔ０＋Ｂ
ここで、ＡをＧ０とおき、２×π×Ａ×をＨ０とおき、ＢをＩ０とおけば、内臓脂肪の量Ｓを求める数４が得られる。
2004073517.tif 000022
ここで、Ｓは、内臓脂肪の量、
Ｔ０は、算出された、生体表面への圧力が無い状態での皮下脂肪厚、
Ｌは、腹囲
Ｇ０、Ｈ０、Ｉ０は、所定の定数
従って、数４を用いて内臓脂肪の量Ｓを求めることが出来る。また、数４において、所定の定数Ｇ０、Ｈ０、Ｉ０については、Ｓ、Ｌ、Ｔ０の値の複数の組を予め求めておき、回帰分析を行うことによって決定することも出来る。
また、図１５に示すように腹囲全部で皮下脂肪厚は均一でないので、皮下脂肪厚を除いた腹囲Ｌ’を求めるのに、押し当て圧力が規定値以上の場合の皮下脂肪厚Ｔ∞を用いてもよい。押し当て圧力が規定値以上の場合の皮下脂肪厚Ｔ∞を用いて皮下脂肪厚を除いた腹囲をＬ’’とすると、Ｌ’’は以下の式で表すことが出来る。
Ｌ’’＝Ｌ−２×π×Ｔ∞
この式を内臓脂肪の量を表す式Ｓ＝ＡＬ’’＋Ｂに代入すると、内臓脂肪の量は、以下のように表すことが出来る。
Ｓ＝Ａ（Ｌ−２×π×Ｔ∞）＋Ｂ
＝ＡＬ−２×π×Ａ×Ｔ∞＋Ｂ
ここで、ＡをＧとおき、２×π×Ａ×をＨとおき、ＢをＩとおけば、内臓脂肪の量Ｓを求める数６が得られる。
2004073517.tif 000023
ここで、Ｓは、内臓脂肪の量、
Ｔ∞は、押し当て圧力が規定値以上の場合の皮下脂肪計測部で計測した皮下脂肪厚、
Ｌは、腹囲
Ｇ、Ｈ、Ｉは、所定の定数
数６を用いることにより、押し当て圧力が規定値以上の場合の皮下脂肪計測部で計測した皮下脂肪厚Ｔ∞から内臓脂肪の量を正確に求めることが出来る。また、数６において、所定の定数Ｇ、Ｈ、Ｉについては、Ｓ、Ｌ、Ｔ∞の値の複数の組を予め求めておき、回帰分析を行うことによって決定することも出来る。
ここで、押し当て圧力が規定値以上の場合に皮下脂肪計測部で計測した皮下脂肪厚をＴ∞、押し当て圧力が無い状態での皮下脂肪厚をＴ０、押し当て圧力が任意の値の場合に皮下脂肪計測部で計測された皮下脂肪厚をＴ、押し当て圧力をＦとすると、これらの間には以下の関係がある。
Ｔ＝（Ｔ０−Ｔ∞）ｅ−ＣＦ＋Ｔ∞
ただしＣは所定の定数である。例えば、Ｃは、押し当て圧力が１００００Ｐａの場合を考慮して、ｅ−１００００Ｃ＝１０−３を満たすような値とすればよいが、これに限らず、押し当て圧力が１００００Ｐａの場合に、ｅ−１００００Ｃが無視出来るくらい小さな値になるようなＣであれば、ｅ−１００００Ｃ＝１０−３を満たすような値以外の値であっても構わない。
この式は、皮下脂肪計測部で計測した皮下脂肪厚Ｔは押し当て圧力が増加するにつれて指数関数的に減少することを示している。そして、押し当て圧力が規定値以上になった場合、皮下脂肪厚は、実質上Ｔ∞に一致することを示している。
Ｔ０は、所定の定数Ａ、Ｂを用いて、以下のように表すことが出来る。
Ｔ０＝ＡＴ∞＋Ｂ
ここで、Ａ、Ｂは、皮下脂肪計測部の形状に依存する定数である。本実施の形態の皮下脂肪計測部２を用いた場合、皮下脂肪厚の単位をｍｍとするときには、Ａは１．４、Ｂは０．５になる。この式を  Ｔ、Ｔ０、Ｔ∞の間の関係式に代入すると、以下のようになる。
Ｔ＝（Ｔ０−Ｔ∞）ｅ−ＣＦ＋Ｔ∞
＝（（Ａ−１）Ｔ∞＋Ｂ）ｅ−ＣＦ＋Ｔ∞
＝Ｔ∞（（Ａ−１）ｅ−ＣＦ＋１）＋Ｂｅ−ＣＦ
従ってＴ∞を求めると、以下のようになる。
Ｔ∞＝（Ｔ−Ｂｅ−ＣＦ）／（（Ａ−１）ｅ−ＣＦ＋１）
この式を、数６に代入することにより、数５を得ることが出来る。
2004073517.tif 000024
ここで、Ｓは、内臓脂肪の量、
Ｆは、押し当て圧力計測部で計測した生体表面へ加わる圧力、
Ｔは、皮下脂肪計測部で計測した皮下脂肪厚、
Ｌは、腹囲
Ａ、Ｂ、Ｃ、Ｄ、Ｅ、Ｇ、Ｈ、Ｉは、所定の定数
ｅは、自然対数の底
数５を用いることにより、押し当て圧力が規定値以下の場合であっても、皮下脂肪計測部で計測された皮下脂肪厚Ｔの押し当て圧力Ｆによる変動を補正することができので、正確に内臓脂肪の量を算出することが出来る。
なお、従来の報告（松澤祐次、外１３名、“新しい肥満の判定と肥満症の診断基準”「肥満研究」Ｖｏｌ．６  Ｎｏ．１  ２０００＜委員会報告＞日本肥満学会肥満症診断基準検討委員会参照）では内臓脂肪面積と相関性のある情報量としてウエスト周囲径を用いているが、本発明では、ウエスト周囲径よりも測定再現性の高い、臍の部分の周囲系である腹囲を用いている。
（実施の形態８）
図１６は、本発明の実施の形態８の内臓脂肪計測装置の構成を示している。実施の形態１乃至３と同様の部分に関しては省略し、相違な点についてのみ記述する。
実施の形態１乃至３と構造が異なる点は、生体１６の腹囲を計測する腹囲計測部１７を備えており、また、内臓脂肪演算部２４を備えている点である。腹囲計測部１７は、ひも１８と、ひも１８を巻き取るリール１９と、リール１９の回転をカウントするカウンタ２０と、固定部２２を備えている。固定部２２は、臍の穴に押し当てる突起２１を有しており、突起２１は、生体表面での内臓脂肪計測装置の位置を規定するようになっている。また、腹囲計測部１７は、ひも１８を生体１６に一周して再び固定する部位を有する。また、リール１９には所定の張力でひも１８を引っ張る張力調整部２３があり、生体１６をひも１８が一周した場合にたるむことや、ひも１８を引きすぎて生体１６にひも１８が食い込むことによる腹囲の測定誤差を軽減している。
以下、本実施の形態８の内臓脂肪計測装置の動作について説明する。
ひも１８がリール１９に巻き取られた状態から、生体１６を一周して腹囲計測部１７に固定されるまでにリール１９が回転した回転数を、カウンタ２０がカウントすることで腹囲Ｌを計測する。ここで、リール１９の回転数をカウントするのではなく、ひも１８に単位長さごとにつけられたマークをカウントすることによって腹囲Ｌを計測してもよい。
生体の臍付近の断面がほぼ円であることから、この計測された腹囲Ｌと、押し当て圧力が無い状態での皮下脂肪厚Ｔとから、実施の形態７で説明した数８を用いて皮下脂肪厚を除いた腹囲Ｌ’を求めることができる。この方法により、内臓脂肪演算部２４では、皮下脂肪厚を除いた腹囲Ｌ’を算出する。これにより、各個人の皮下脂肪厚のばらつきを補正した、精度の高い内臓脂肪の指標となる情報量である皮下脂肪厚を除いた腹囲Ｌ’を求めることができる。
また、内臓脂肪演算部２４は、計測された腹囲Ｌと、押し当て圧力が無い状態での皮下脂肪厚Ｔとから、実施の形態７で説明した数４を用いて内臓脂肪の量を求める。
このように、実施の形態８の内臓脂肪計測装置は、皮下脂肪厚を除いた腹囲Ｌ’や内臓脂肪の量を正確に求めることが出来る。
なお、本実施の形態８では、押し当て圧力計測部６及び圧力／脂肪厚関連データ２５としているが、これらを押し当て圧力検知部１３及び安定脂肪厚関連データ２６としても良い。
また、内臓脂肪演算部２４は演算部７を同一とする構成であっても良い。
（実施の形態９）
図１７は、本発明の実施の形態９の内臓脂肪計測装置の構成を示している。実施の形態８と同様の部分に関しては省略し、相違な点についてのみ記述する。
実施の形態８と構造が異なる点は、内臓脂肪演算部５４を備え、演算部７及び圧力／脂肪厚関連データ２５を備えていない点である。それ以外は、実施の形態８と同様である。
次に、このような本実施の形態の動作を説明する。
実施の形態９の内臓脂肪計測装置の腹囲計測部１７は、実施の形態８と同様にして、腹囲Ｌを計測する。
そして、腹囲計測部１７は計測した腹囲Ｌを内臓脂肪演算部５４に送信する。また、押し当て圧力計測部６は、押し当て圧力を計測し、内臓脂肪演算部５４に送信する。また、皮下脂肪計測部２は、皮下脂肪厚を計測し、内臓脂肪演算部５４に送信する。
内臓脂肪演算部５４は、押し当て圧力をＦ、皮下脂肪計測部２で計測された皮下脂肪厚をＴ、腹囲Ｌとして、実施の形態７で説明した数５を利用して内臓脂肪の量Ｓを求める。
それ以外は実施の形態８と同様であるので説明を省略する。
このように、実施の形態９の内臓脂肪計測装置は、皮下脂肪厚を除いた腹囲Ｌ’や内臓脂肪の量を正確に求めることが出来る。
（実施の形態１０）
図１８は、本発明の実施の形態１０の図１７は、本発明の実施の形態９の内臓脂肪計測装置の構成を示している。実施の形態８と同様の部分に関しては省略し、相違な点についてのみ記述する。
実施の形態８と構造が異なる点は、内臓脂肪演算部５５を備え、演算部７及び圧力／脂肪厚関連データ２５を備えておらず、また押し当て圧力計測部６の代わりに押し当て圧力検知部１３を備えている点である。実施の形態８と同様である。
次に、このような本実施の形態の動作を説明する。
実施の形態１０の内臓脂肪計測装置の腹囲計測部１７は、実施の形態８と同様にして、腹囲Ｌを計測する。そして、腹囲計測部１７は計測した腹囲Ｌを内臓脂肪演算部５５に送信する。
また、実施の形態１０の内臓脂肪計測装置の皮下脂肪計測部２は、実施の形態３と同様にして皮下脂肪厚を計測する。すなわち、皮下脂肪厚計測部２は、規定値以上の押し当て圧力が加わった状態で皮下脂肪厚を計測する。そして、皮下脂肪厚計測部２は、計測した皮下脂肪厚を内臓脂肪演算部５５に送信する。
内臓脂肪演算部５５は、規定値以上の押し当て圧力が加わっている状態で皮下脂肪計測部２で計測された皮下脂肪厚をＴ∞、腹囲Ｌとして、実施の形態７で説明した数６を利用して内臓脂肪の量Ｓを求める。
それ以外は実施の形態８と同様であるので説明を省略する。
このように、実施の形態１０の内臓脂肪計測装置は、皮下脂肪厚を除いた腹囲Ｌ’や内臓脂肪の量を正確に求めることが出来る。
また、各実施の形態において、圧力／脂肪厚関連データ２５または安定脂肪厚関連データ２６を演算部７とは別に設ける構成としているが、これらのデータベースが演算部７に含まれる構成であってもよい。
また、各実施の形態における内臓脂肪計測装置および内臓脂肪計測装置によって得られた、皮下脂肪厚、内臓脂肪量と、身長、体重から、体脂肪率を計算することもできる。
また、得られた皮下脂肪厚、内臓脂肪量を、別途設けられた通信手段によって、外部の機器に伝達することもできる。
なお、本発明のプログラムは、上述した本発明の内臓脂肪計測装置および内臓脂肪計測装置の、演算部または内臓脂肪演算部のいずれかまたは両方の機能をコンピュータにより実行させるためのプログラムであって、コンピュータと協働して動作するプログラムである。
また、本発明の記録媒体は、上述した本発明の内臓脂肪計測装置および内臓脂肪計測装置の、演算部または内臓脂肪演算部の機能をコンピュータにより実行させるためのプログラム、またはデータベースの、全部または一部を担持した記録媒体であり、コンピュータにより読み取り可能かつ、読み取られた前記プログラムまたは前記データベースが前記コンピュータと協働して利用される記録媒体である。
また、本発明のプログラムの一利用形態は、コンピュータにより読み取り可能な記録媒体に記録され、コンピュータと協働して動作する態様であっても良い。
また、記録媒体としては、ＲＯＭ等が含まれ、伝送媒体としては、インターネット等の伝送媒体、光・電波・音波等が含まれる。
また、上述した本発明のコンピュータは、ＣＰＵ等の純然たるハードウェアに限らず、ファームウェアや、ＯＳ、更に周辺機器を含むものであっても良い。
なお、以上説明した様に、本発明の構成は、ソフトウェア的に実現しても良いし、ハードウェア的に実現しても良い。
【産業上の利用可能性】  本発明により、計測再現性の良い、計測部位に圧力が加わっていない状態での皮下脂肪厚を計測できる内臓脂肪計測装置及び内臓脂肪計測方法を提供することができる。
また、別の本発明により、皮下脂肪による影響を含まない、内臓脂肪量に相関性のある情報量を計測できる内臓脂肪計測装置及び内臓脂肪計測方法を提供することができる。
【図１】
2004073517.tif 000027
【図２】
2004073517.tif 000028
【図３】
2004073517.tif 000029
【図４】
2004073517.tif 000030
【図５】
2004073517.tif 000031
【図６】
2004073517.tif 000032
【図７】
2004073517.tif 000033
【図８】
2004073517.tif 000034
【図９】
2004073517.tif 000035
【図１０】
2004073517.tif 000036
【図１１】
2004073517.tif 000037
【図１２】
2004073517.tif 000038
【図１３】
2004073517.tif 000039
【図１４】
2004073517.tif 000040
【図１５】
2004073517.tif 000041
【図１６】
2004073517.tif 000042
【図１７】
2004073517.tif 000043
【図１８】
2004073517.tif 000044
【手続補正書】
【提出日】平成17年6月24日(2005.6.24)
【手続補正１】
【補正対象書類名】特許請求の範囲
【補正対象項目名】全文
【補正方法】変更
【補正の内容】
【特許請求の範囲】
【請求項１】
生体表面に所定の面部を圧着させて皮下脂肪厚を計測する皮下脂肪計測部と、
前記皮下脂肪計測部で計測した皮下脂肪厚に基づいて前記生体表面への圧力が無い状態での皮下脂肪厚を算出する演算部と、
算出された前記皮下脂肪厚から内臓脂肪量と相関性を有する情報量を算出する内臓脂肪演算部とを備えた、内臓脂肪計測装置。
【請求項２】
前記皮下脂肪計測部から前記生体表面へ加わる圧力を計測する押し当て圧力計測部と、
生体表面への圧力の無い状態での複数種類の皮下脂肪厚の値と、前記複数種類の皮下脂肪厚のそれぞれについての前記生体表面へ加わる圧力と、前記圧力が加わっている状態での皮下脂肪厚との関係についての情報を持つデータベースとを備え、
前記演算部は、前記皮下脂肪計測部で計測した皮下脂肪厚と、前記押し当て圧力計測部で計測した前記生体表面へ加わる圧力に基づいて、前記データベースを利用して、前記生体表面への圧力が無い状態での皮下脂肪厚を算出する、請求項１記載の内臓脂肪計測装置。
【請求項３】
生体表面への圧力の無い状態での複数種類の皮下脂肪厚の値と、前記複数種類の皮下脂肪厚のそれぞれについての前記生体表面に前記所定の圧力値以上の圧力が加わっている状態での皮下脂肪厚との関係についての情報を持つデータベースを備え、
前記皮下脂肪計測部は、前記生体表面に前記所定の圧力値以上で前記所定の面部を圧着させて前記皮下脂肪厚を計測し、
前記演算部は、前記皮下脂肪計測部で計測した皮下脂肪厚に基づいて、前記データベースを利用して、前記生体表面への圧力が無い状態での皮下脂肪厚を算出する、請求項１記載の内臓脂肪計測装置。
【請求項４】
前記内臓脂肪量と相関性を有する情報量とは、内臓脂肪の量であり、
前記内臓脂肪演算部は、算出された前記皮下脂肪厚から、数１を利用して前記内臓脂肪の量を算出する、請求項１記載の内臓脂肪計測装置。
（数１）
Ｓ＝Ｄ0×Ｔ0＋Ｅ0
ここで、Ｓは、前記内臓脂肪の量、
Ｔ0は、算出された、前記生体表面への圧力が無い状態での皮下脂肪厚、
Ｄ0、Ｅ0は、所定の定数
【請求項５】
前記内臓脂肪量と相関性を有する情報量とは、内臓脂肪の量であり、
前記内臓脂肪演算部は、腹囲を入力する腹囲入力部を有し、
算出された前記皮下脂肪厚から、数４を利用して前記内臓脂肪の量を算出する、請求項１記載の内臓脂肪計測装置。
（数４）
Ｓ＝Ｇ0×Ｌ−Ｈ0×Ｔ0＋Ｉ0
ここで、Ｓは、前記内臓脂肪の量、
Ｔ0は、算出された、前記生体表面への圧力が無い状態での皮下脂肪厚、
Ｌは、前記腹囲
Ｇ0、Ｈ0、Ｉ0は、所定の定数
【請求項６】
前記所定の圧力値は、１００００Ｐａ以上である、請求項３記載の内臓脂肪計測装置。
【請求項７】
前記皮下脂肪計測部は、光式皮下脂肪計測装置である、請求項１〜５のいずれかに記載の内臓脂肪計測装置。
【請求項８】
前記皮下脂肪計測部は、超音波計測装置である、請求項１〜５のいずれかに記載の内臓脂肪計測装置。
【請求項９】
前記皮下脂肪計測部は、
反射波により前記皮下脂肪厚を計測する超音波素子と、
前記超音波素子と前記生体表面の間に密閉された空間を形成するドーム状の蓋と、
前記空間に満たされた軟体とを有する、請求項８記載の内臓脂肪計測装置。
【請求項１０】
前記腹囲を計測する腹囲計測部を備え、
前記腹囲入力部は、計測された前記腹囲を入力する、請求項５記載の内臓脂肪計測装置。
【請求項１１】
前記腹囲計測部は、
ひもと、
前記ひもを巻き取るリールと、
前記リールの回転数をカウントするカウンタとを有する、請求項１０記載の内臓脂肪計測装置。
【請求項１２】
前記腹囲計測部は、前記ひもの張力を所定の値に保持する張力調節機構を有する、請求項１１に記載の内臓脂肪計測装置。
【請求項１３】
前記皮下脂肪計測部を前記生体表面の所定の位置に固定する固定部を有する、請求項１〜５のいずれかに記載の内臓脂肪計測装置。
【請求項１４】
前記固定部は、臍部に挿入する突起部を有する、請求項１３記載の内臓脂肪計測装置。
【請求項１５】
生体表面に所定の面部を圧着させて皮下脂肪厚を計測する皮下脂肪計測ステップと、
前記皮下脂肪計測部で計測した皮下脂肪厚に基づいて前記生体表面への圧力が無い状態での皮下脂肪厚を算出する演算ステップと、
算出された前記皮下脂肪厚から内臓脂肪量と相関性を有する情報量を算出する内臓脂肪演算ステップとを備えた、内臓脂肪計測方法。
【請求項１６】
請求項１記載の内臓脂肪計測装置の、前記皮下脂肪計測部で計測した皮下脂肪厚に基づいて前記生体表面への圧力が無い状態での皮下脂肪厚を算出する演算部と、
算出された前記皮下脂肪厚から内臓脂肪量と相関性を有する情報量を算出する内臓脂肪演算部として、コンピュータを機能させるためのプログラム。
【請求項１７】
請求項１６記載のプログラムを担持した記録媒体であって、コンピュータにより処理可能な記録媒体。
【手続補正２】
【補正対象書類名】明細書
【補正対象項目名】全文
【補正方法】変更
【補正の内容】
【発明の詳細な説明】
【技術分野】
【０００１】
本発明は、内臓脂肪に関する情報を計測する内臓脂肪計測装置、内臓脂肪計測方法、プログラム、及び記録媒体に関するものである。
【背景技術】
【０００２】
従来、皮下脂肪厚を計測する方法としては、超音波を用いた方法（例えば、特許文献１参照）や、近赤外光を用いた方法（例えば、特許文献２参照）、キャリパーを用いた方法（例えば、特許文献３参照）が知られている。また、内臓脂肪面積はウエスト周囲径に相関性が高いという報告があった（例えば、非特許文献１参照）。
【０００３】
なお、特許文献１、特許文献２、及び非特許文献１の文献の全ての開示は、そっくりそのまま引用する（参照する）ことにより、ここに一体化する。
【特許文献１】特許第２９５３９０９号公報
【特許文献２】特許第３０３５７９１号公報
【特許文献３】特開平１０−３１４１４５号公報
【非特許文献１】松澤祐次、外１３名、“新しい肥満の判定と肥満症の診断基準”「肥満研究」Ｖｏｌ．６  Ｎｏ．１  ２０００＜委員会報告＞日本肥満学会肥満症診断基準検討委員会
【発明の開示】
【発明が解決しようとする課題】
【０００４】
しかしながら、従来の超音波を用いた方法や近赤外光を用いた方法では、超音波や近赤外光を計測部位へ接触させて計測するために、柔らかい皮下脂肪は変形してしまう。この計測部位への接触具合のばらつきにより、計測される皮下脂肪厚が安定せず、計測再現性が悪化するという課題があった。また、皮下脂肪が変形してしまうために、得られた皮下脂肪厚は、自然状態の計測部位に力が加わっていない場合の値とは異なるという課題があった。一方、キャリパーを用いた方法では、計測場所を正確に決定することがむずかしい。さらに、皮膚の引っ張り方や計測方法など、計測者により異なるために計測値がばらつくなどの課題があった。
【０００５】
また、内臓脂肪面積に相関があるというウエスト周囲径については、人によっては（特に男女間では）皮下脂肪と内臓脂肪の割合が違うために、皮下脂肪が厚く内臓脂肪が少ない人と、皮下脂肪が薄く内臓脂肪が多い人では、内臓脂肪面積に差があるのにウエスト周囲径には差が出ない、という課題があった。つまり、ウエスト周囲径は、内臓脂肪量に相関性のある情報量であるが、皮下脂肪の影響が考慮されていない情報量である。また、ウエスト周囲径を計測する場合に、メジャーを使うと測定者によってメジャーの引っ張り強さがばらつくので、ウエスト周囲径の測定再現性も悪かった。
【０００６】
そこで本発明は、上記従来の問題点に鑑み、計測再現性の良い、計測部位に圧力が加わっていない状態での皮下脂肪厚を計測することにより、その皮下脂肪厚から内臓脂肪量に相関性のある情報を正確に計測出来る内臓脂肪計測装置、内臓脂肪計測方法、プログラム、及び記録媒体を提供することを目的とするものである。
【０００７】
また、別の本発明は、皮下脂肪による影響を含まない、内臓脂肪量に相関性のある情報量を計測できる内臓脂肪計測装置、内臓脂肪計測方法、プログラム、及び記録媒体を提供することを目的とするものである。
【課題を解決するための手段】
【０００８】
第１の本発明は、生体表面に所定の面部を圧着させて皮下脂肪厚を計測する皮下脂肪計測部と、
前記皮下脂肪計測部で計測した皮下脂肪厚に基づいて前記生体表面への圧力が無い状態での皮下脂肪厚を算出する演算部と、
算出された前記皮下脂肪厚から内臓脂肪量と相関性を有する情報量を算出する内臓脂肪演算部とを備えた、内臓脂肪計測装置である。
【０００９】
また、第２の本発明は、前記皮下脂肪計測部から前記生体表面へ加わる圧力を計測する押し当て圧力計測部と、
生体表面への圧力の無い状態での複数種類の皮下脂肪厚の値と、前記複数種類の皮下脂肪厚のそれぞれについての前記生体表面へ加わる圧力と、前記圧力が加わっている状態での皮下脂肪厚との関係についての情報を持つデータベースとを備え、
前記演算部は、前記皮下脂肪計測部で計測した皮下脂肪厚と、前記押し当て圧力計測部で計測した前記生体表面へ加わる圧力に基づいて、前記データベースを利用して、前記生体表面への圧力が無い状態での皮下脂肪厚を算出する、第１の本発明の内臓脂肪計測装置である。
【００１０】
また、第３の本発明は、生体表面への圧力の無い状態での複数種類の皮下脂肪厚の値と、前記複数種類の皮下脂肪厚のそれぞれについての前記生体表面に前記所定の圧力値以上の圧力が加わっている状態での皮下脂肪厚との関係についての情報を持つデータベースを備え、
前記皮下脂肪計測部は、前記生体表面に前記所定の圧力値以上で前記所定の面部を圧着させて前記皮下脂肪厚を計測し、
前記演算部は、前記皮下脂肪計測部で計測した皮下脂肪厚に基づいて、前記データベースを利用して、前記生体表面への圧力が無い状態での皮下脂肪厚を算出する、第１の本発明の内臓脂肪計測装置である。
【００１１】
また、第４の本発明は、前記内臓脂肪量と相関性を有する情報量とは、内臓脂肪の量であり、
前記内臓脂肪演算部は、算出された前記皮下脂肪厚から、数１を利用して前記内臓脂肪の量を算出する、第１の本発明の内臓脂肪計測装置である。
【００１２】
（数１）
Ｓ＝Ｄ0×Ｔ0＋Ｅ0
ここで、Ｓは、前記内臓脂肪の量、
Ｔ0は、算出された、前記生体表面への圧力が無い状態での皮下脂肪厚、
Ｄ0、Ｅ0は、所定の定数
また、第５の本発明は、生体表面に所定の面部を圧着させて皮下脂肪厚を計測する皮下脂肪計測部と、
前記皮下脂肪計測部から前記生体表面へ加わる圧力を計測する押し当て圧力計測部と、
前記皮下脂肪計測部で計測した皮下脂肪厚と、前記押し当て圧力計測部で計測した前記生体表面へ加わる圧力に基づいて、数２を利用して内臓脂肪の量を算出する内臓脂肪演算部とを備えた、内臓脂肪計測装置である。
【００１３】
（数２）
Ｓ＝Ｄ×（（Ｔ−Ｂｅ-CF）／（（Ａ−１）ｅ-CF＋１））＋Ｅ
ここで、Ｓは、前記内臓脂肪の量、
Ｆは、前記押し当て圧力計測部で計測した前記生体表面へ加わる圧力、
Ｔは、前記皮下脂肪計測部で計測した皮下脂肪厚、
Ａ、Ｂ、Ｃ、Ｄ、Ｅは、所定の定数、
ｅは、自然対数の底
また、第６の本発明は、生体表面に所定の圧力値以上で所定の面部を圧着させて皮下脂肪厚を計測する皮下脂肪計測部と、
前記皮下脂肪計測部で計測した皮下脂肪厚に基づいて、数３を利用して内臓脂肪の量を算出する内臓脂肪演算部とを備えた、内臓脂肪計測装置である。
【００１４】
（数３）
Ｓ＝Ｄ×Ｔ∞＋Ｅ
ここで、Ｓは、前記内臓脂肪の量、
Ｔ∞は、前記皮下脂肪計測部で計測した皮下脂肪厚、
Ｄ、Ｅは、所定の定数
また、第７の本発明は、前記内臓脂肪量と相関性を有する情報量とは、内臓脂肪の量であり、
前記内臓脂肪演算部は、腹囲を入力する腹囲入力部を有し、
算出された前記皮下脂肪厚から、数４を利用して前記内臓脂肪の量を算出する、第１の本発明の内臓脂肪計測装置である。
【００１５】
（数４）
Ｓ＝Ｇ0×Ｌ−Ｈ0×Ｔ0＋Ｉ0
ここで、Ｓは、前記内臓脂肪の量、
Ｔ0は、算出された、前記生体表面への圧力が無い状態での皮下脂肪厚、
Ｌは、前記腹囲
Ｇ0、Ｈ0、Ｉ0は、所定の定数
また、第８の本発明は、生体表面に所定の面部を圧着させて皮下脂肪厚を計測する皮下脂肪計測部と、
前記皮下脂肪計測部から前記生体表面へ加わる圧力を計測する押し当て圧力計測部と、
腹囲を入力する腹囲入力部を有し、前記皮下脂肪計測部で計測した皮下脂肪厚と、前記押し当て圧力計測部で計測した前記生体表面へ加わる圧力に基づいて、数５を利用して内臓脂肪の量を算出する内臓脂肪演算部とを備えた、内臓脂肪計測装置である。
【００１６】
（数５）
Ｓ＝Ｇ×Ｌ−Ｈ×（（Ｔ−Ｂｅ-CF）／（（Ａ−１）ｅ-CF＋１））＋Ｉ
ここで、Ｓは、前記内臓脂肪の量、
Ｆは、前記押し当て圧力計測部で計測した前記生体表面へ加わる圧力、
Ｔは、前記皮下脂肪計測部で計測した皮下脂肪厚、
Ｌは、前記腹囲
Ａ、Ｂ、Ｃ、Ｄ、Ｅ、Ｇ、Ｈ、Ｉは、所定の定数
ｅは、自然対数の底
また、第９の本発明は、生体表面に所定の圧力値以上で所定の面部を圧着させて皮下脂肪厚を計測する皮下脂肪計測部と、
腹囲を入力する腹囲入力部を有し、前記皮下脂肪計測部で計測した皮下脂肪厚に基づいて、数６を利用して内臓脂肪の量を算出する内臓脂肪演算部とを備えた、内臓脂肪計測装置である。
【００１７】
（数６）
Ｓ＝Ｇ×Ｌ−Ｈ×Ｔ∞＋Ｉ
ここで、Ｓは、前記内臓脂肪の量、
Ｔ∞は、前記皮下脂肪計測部で計測した皮下脂肪厚、
Ｌは、前記腹囲
Ｇ、Ｈ、Ｉは、所定の定数
また、第１０の本発明は、前記所定の圧力値は、１００００Ｐａ以上である、第３または６の本発明の内臓脂肪計測装置である。
【００１８】
また、第１１の本発明は、前記皮下脂肪計測部は、光式皮下脂肪計測装置である、第１〜９の本発明のいずれかの内臓脂肪計測装置である。
【００１９】
また、第１２の本発明は、前記皮下脂肪計測部は、超音波計測装置である、第１〜９の本発明のいずれかの内臓脂肪計測装置である。
【００２０】
また、第１３の本発明は、前記皮下脂肪計測部は、
反射波により前記皮下脂肪厚を計測する超音波素子と、
前記超音波素子と前記生体表面の間に密閉された空間を形成するドーム状の蓋と、
前記空間に満たされた軟体とを有する、第１２の本発明の内臓脂肪計測装置である。
【００２１】
また、第１４の本発明は、前記腹囲を計測する腹囲計測部を備え、
前記腹囲入力部は、計測された前記腹囲を入力する、第７〜９の本発明のいずれかの内臓脂肪計測装置である。
【００２２】
また、第１５の本発明は、前記腹囲計測部は、
ひもと、
前記ひもを巻き取るリールと、
前記リールの回転数をカウントするカウンタとを有する、第１４の本発明の内臓脂肪計測装置である。
【００２３】
また、第１６の本発明は、前記腹囲計測部は、前記ひもの張力を所定の値に保持する張力調節機構を有する、第１５の本発明の内臓脂肪計測装置である。
【００２４】
また、第１７の本発明は、前記皮下脂肪計測部を前記生体表面の所定の位置に固定する固定部を有する、第１〜９の本発明のいずれかの内臓脂肪計測装置である。
【００２５】
また、第１８の本発明は、前記固定部は、臍部に挿入する突起部を有する、第１７の本発明の内臓脂肪計測装置である。
【００２６】
また、第１９の本発明は、生体表面に所定の面部を圧着させて皮下脂肪厚を計測する皮下脂肪計測ステップと、
前記皮下脂肪計測部で計測した皮下脂肪厚に基づいて前記生体表面への圧力が無い状態での皮下脂肪厚を算出する演算ステップと、
算出された前記皮下脂肪厚から内臓脂肪量と相関性を有する情報量を算出する内臓脂肪演算ステップとを備えた、内臓脂肪計測方法である。
【００２７】
また、第２０の本発明は、生体表面に所定の面部を圧着させて皮下脂肪厚を計測する皮下脂肪計測ステップと、
前記皮下脂肪計測部から前記生体表面へ加わる圧力を計測する押し当て圧力計測ステップと、
前記皮下脂肪計測部で計測した皮下脂肪厚と、前記押し当て圧力計測部で計測した前記生体表面へ加わる圧力に基づいて、数２を利用して内臓脂肪の量を算出する内臓脂肪演算ステップとを備えた、内臓脂肪計測方法である。
【００２８】
（数２）
Ｓ＝Ｄ×（（Ｔ−Ｂｅ-CF）／（（Ａ−１）ｅ-CF＋１））＋Ｅ
ここで、Ｓは、前記内臓脂肪の量、
Ｆは、前記押し当て圧力計測部で計測した前記生体表面へ加わる圧力、
Ｔは、前記皮下脂肪計測部で計測した皮下脂肪厚、
Ａ、Ｂ、Ｃ、Ｄ、Ｅは、所定の定数、
ｅは、自然対数の底
また、第２１の本発明は、生体表面に所定の圧力値以上で所定の面部を圧着させて皮下脂肪厚を計測する皮下脂肪計測ステップと、
前記皮下脂肪計測部で計測した皮下脂肪厚に基づいて、数３を利用して内臓脂肪の量を算出する内臓脂肪演算ステップとを備えた、内臓脂肪計測方法である。
【００２９】
（数３）
Ｓ＝Ｄ×Ｔ∞＋Ｅ
ここで、Ｓは、前記内臓脂肪の量、
Ｔ∞は、前記皮下脂肪計測部で計測した皮下脂肪厚、
Ｄ、Ｅは、所定の定数
また、第２２の本発明は、生体表面に所定の面部を圧着させて皮下脂肪厚を計測する皮下脂肪計測ステップと、
前記皮下脂肪計測部から前記生体表面へ加わる圧力を計測する押し当て圧力計測ステップと、
腹囲を入力する腹囲入力部を有し、前記皮下脂肪計測部で計測した皮下脂肪厚と、前記押し当て圧力計測部で計測した前記生体表面へ加わる圧力に基づいて、数５を利用して内臓脂肪の量を算出する内臓脂肪演算ステップとを備えた、内臓脂肪計測方法である。
【００３０】
（数５）
Ｓ＝Ｇ×Ｌ−Ｈ×（（Ｔ−Ｂｅ-CF）／（（Ａ−１）ｅ-CF＋１））＋Ｉ
ここで、Ｓは、前記内臓脂肪の量、
Ｆは、前記押し当て圧力計測部で計測した前記生体表面へ加わる圧力、
Ｔは、前記皮下脂肪計測部で計測した皮下脂肪厚、
Ｌは、前記腹囲
Ａ、Ｂ、Ｃ、Ｄ、Ｅ、Ｇ、Ｈ、Ｉは、所定の定数
ｅは、自然対数の底
また、第２３の本発明は、生体表面に所定の圧力値以上で所定の面部を圧着させて皮下脂肪厚を計測する皮下脂肪計測ステップと、
腹囲を入力する腹囲入力部を有し、前記皮下脂肪計測部で計測した皮下脂肪厚に基づいて、数６を利用して内臓脂肪の量を算出する内臓脂肪演算ステップとを備えた、内臓脂肪計測方法である。
【００３１】
（数６）
Ｓ＝Ｇ×Ｌ−Ｈ×Ｔ∞＋Ｉ
ここで、Ｓは、前記内臓脂肪の量、
Ｔ∞は、前記皮下脂肪計測部で計測した皮下脂肪厚、
Ｌは、前記腹囲
Ｇ、Ｈ、Ｉは、所定の定数
また、第２４の本発明は、第１の本発明の内臓脂肪計測装置の、前記皮下脂肪計測部で計測した皮下脂肪厚に基づいて前記生体表面への圧力が無い状態での皮下脂肪厚を算出する演算部と、
算出された前記皮下脂肪厚から内臓脂肪量と相関性を有する情報量を算出する内臓脂肪演算部として、コンピュータを機能させるためのプログラムである。
【００３２】
また、第２５の本発明は、第５の本発明の内臓脂肪計測装置の、前記皮下脂肪計測部で計測した皮下脂肪厚と、前記押し当て圧力計測部で計測した前記生体表面へ加わる圧力に基づいて、数２を利用して内臓脂肪の量を算出する内臓脂肪演算部として、コンピュータを機能させるためのプログラムである。
【００３３】
（数２）
Ｓ＝Ｄ×（（Ｔ−Ｂｅ-CF）／（（Ａ−１）ｅ-CF＋１））＋Ｅ
ここで、Ｓは、前記内臓脂肪の量、
Ｆは、前記押し当て圧力計測部で計測した前記生体表面へ加わる圧力、
Ｔは、前記皮下脂肪計測部で計測した皮下脂肪厚、
Ａ、Ｂ、Ｃ、Ｄ、Ｅは、所定の定数、
ｅは、自然対数の底
また、第２６の本発明は、第６の本発明の内臓脂肪計測装置の、前記皮下脂肪計測部で計測した皮下脂肪厚に基づいて、数３を利用して内臓脂肪の量を算出する内臓脂肪演算部として、コンピュータを機能させるためのプログラムである。
【００３４】
（数３）
Ｓ＝Ｄ×Ｔ∞＋Ｅ
ここで、Ｓは、前記内臓脂肪の量、
Ｔ∞は、前記皮下脂肪計測部で計測した皮下脂肪厚、
Ｄ、Ｅは、所定の定数
また、第２７の本発明は、第８の本発明の内臓脂肪計測装置の、腹囲を入力する腹囲入力部を有し、前記皮下脂肪計測部で計測した皮下脂肪厚と、前記押し当て圧力計測部で計測した前記生体表面へ加わる圧力に基づいて、数５を利用して内臓脂肪の量を算出する内臓脂肪演算部として、コンピュータを機能させるためのプログラムである。
【００３５】
（数５）
Ｓ＝Ｇ×Ｌ−Ｈ×（（Ｔ−Ｂｅ-CF）／（（Ａ−１）ｅ-CF＋１））＋Ｉ
ここで、Ｓは、前記内臓脂肪の量、
Ｆは、前記押し当て圧力計測部で計測した前記生体表面へ加わる圧力、
Ｔは、前記皮下脂肪計測部で計測した皮下脂肪厚、
Ｌは、前記腹囲
Ａ、Ｂ、Ｃ、Ｄ、Ｅ、Ｇ、Ｈ、Ｉは、所定の定数
ｅは、自然対数の底
また、第２８の本発明は、第９の本発明の内臓脂肪計測装置の、腹囲を入力する腹囲入力部を有し、前記皮下脂肪計測部で計測した皮下脂肪厚に基づいて、数６を利用して内臓脂肪の量を算出する内臓脂肪演算部として、コンピュータを機能させるためのプログラムである。
【００３６】
（数６）
Ｓ＝Ｇ×Ｌ−Ｈ×Ｔ∞＋Ｉ
ここで、Ｓは、前記内臓脂肪の量、
Ｔ∞は、前記皮下脂肪計測部で計測した皮下脂肪厚、
Ｌは、前記腹囲
Ｇ、Ｈ、Ｉは、所定の定数
また、第２９の本発明は、第２４〜２８の本発明のいずれかのプログラムを担持した記録媒体であって、コンピュータにより処理可能な記録媒体である。
【００３７】
本発明の原理について簡単に説明する。
【００３８】
本発明の内臓脂肪計測装置は、可視光から近赤外光領域波長の光を生体表面から生体内に照射した時の拡散反射光を計測することにより皮下脂肪厚を算出するか、もしくは超音波の反射波を計測することで皮下脂肪厚を算出する、皮下脂肪計測部を有する。また本発明の内臓脂肪計測装置は、皮下脂肪計測部を生体表面に押し当てた圧力を計測する押し当て圧力計測部を有している。本発明の説明において、この皮下脂肪計測部が生体表面に押し当てる圧力を、押し当て圧力と呼ぶ。
【００３９】
皮下脂肪計測部で計測された皮下脂肪厚と、押し当て圧力計測部で計測された押し当て圧力との関係は図１のような曲線になる。図１に示すように、押し当て圧力が無い状態での複数の異なる皮下脂肪厚毎に異なる曲線となるが、この曲線は押し当て圧力とそのときに計測される皮下脂肪厚により一意的に決まる。従って、予めこれらの曲線のデータを得ておき、この曲線の関係を用いることにより、押し当て圧力の無い状態での皮下脂肪厚を求めることができる。例えば、計測した皮下脂肪厚がＨ１であり、その皮下脂肪厚を計測したときの押し当て圧力がＰ１であった場合、図１より、Ｈ１に対して、押し当て圧力の無い状態での皮下脂肪厚Ｈ２を一意に求めることができる。本発明の内臓脂肪計測装置が有する演算部は、この複数の曲線の情報を持つデータベースを用いて、押し当て圧力の無い状態での皮下脂肪厚を高精度に算出する。そして、このようにして算出された、押し当て圧力の無い状態での皮下脂肪厚から内臓脂肪演算部が内臓脂肪量と相関性を有する情報量を算出する。
【００４０】
また、皮下脂肪計測部で計測された皮下脂肪厚と、押し当て圧力との関係は、押し当て圧力が大きい場合、図２のようになる。すなわち、押し当て圧力がある一定の値以上であれば、測定される皮下脂肪厚は太線で示すように一定の安定した値となる。この押し当て圧力のある一定の値は、皮下脂肪厚が厚くなるほど大きくなる。従って、皮下脂肪厚が非常に厚い場合のこの押し当て圧力の一定の値よりも大きい圧力値を規定値とすることにより、押し当て圧力がその規定値以上であれば、皮下脂肪の厚さに関わらず、皮下脂肪計測部は安定した太線の部分の皮下脂肪厚の値を計測できることになる。そして、図２の曲線は、この安定した太線の部分の皮下脂肪厚により一意的に決まる。図２の曲線のデータを予め得ておき、この曲線の関係を用いることにより、安定した太線の部分の皮下脂肪厚の値から、押し当て圧力の無い状態での皮下脂肪厚を求めることができる。例えば図２において、規定値の押し当て圧力Ｐ２を加えた状態で計測された皮下脂肪厚がＨ３であった場合、この曲線の関係を用いることにより、Ｈ３に対して、押し当て圧力の無い状態での皮下脂肪厚Ｈ４を一意に求めることができる。前述した図１の関係を用いる場合には、曲線上の全データが必要となるが、図２の関係を用いる場合には、規定値以上の押し当て圧力で計測した各皮下脂肪厚に対して、押し当て圧力の無い状態での皮下脂肪厚の値のみ関連付けられていればよい。図２の場合の本発明の内臓脂肪計測装置が有する演算部は、規定値以上の押し当て圧力で計測される皮下脂肪厚と、それに対する押し当て圧力の無い状態での皮下脂肪厚のデータを持つデータベースを用いて、押し当て圧力の無い状態での皮下脂肪厚を高精度に算出する。そして、このようにして算出された、押し当て圧力の無い状態での皮下脂肪厚から内臓脂肪演算部が内臓脂肪量と相関性を有する情報量を算出する。
【００４１】
このように、本発明の内臓脂肪計測装置は、上記で得られた、再現性の良い押し当て圧力の無い状態での皮下脂肪厚の値を利用するものである。
【発明の効果】
【００４２】
本発明により、計測再現性の良い、計測部位に圧力が加わっていない状態での皮下脂肪厚を計測できる内臓脂肪計測装置及び内臓脂肪計測方法を提供することができる。
【００４３】
また、別の本発明により、皮下脂肪による影響を含まない、内臓脂肪量に相関性のある情報量を計測できる内臓脂肪計測装置及び内臓脂肪計測方法を提供することができる。
【発明を実施するための最良の形態】
【００４４】
以下、本発明の実施の形態について、図面を用いて説明する。
【００４５】
（実施の形態１）
図３は、本発明の実施の形態１の内臓脂肪計測装置の構成を示している。
【００４６】
生体表面１上に配置された皮下脂肪計測部２は、光式皮下脂肪計測装置であり、内部に中心波長６６０ｎｍのＬＥＤ３が配置され、第１のフォトダイオード４が４５ｍｍの距離、第２のフォトダイオード５が２２．５ｍｍの距離を離して配置されている。図４に、皮下脂肪計測部２の平面図を示す。皮下脂肪計測部２の生体表面１に接する部分の形状は、図４のように両端が半円形状となる小判型である。この小判型の生体表面１に接する面が、本発明の生体表面１に圧着させる皮下脂肪計測部２の面部であり、ＬＥＤ３の発光波長の領域での反射率が０．２以下の材質でできているか、または塗装されている。皮下脂肪計測部２が生体表面１に加える押し当て圧力を計測する押し当て圧力計測部６は、ロードセルおよびその周辺回路からなる。そして、押し当て圧力の無い状態での皮下脂肪厚を算出する演算部７が備えられている。圧力／脂肪厚関連データ２５は、図１に示すような、皮下脂肪厚計測の際に生体表面１に加わっている押し当て圧力と、そのときに計測される皮下脂肪厚との関係についての情報を、複数の皮下脂肪厚について有するデータベースである。また、押し当て圧力が無い状態での皮下脂肪厚から内臓脂肪の量を算出する内臓脂肪演算部５１が備えられている。また、１４は皮下脂肪、３０は皮膚、３１は筋肉である。
【００４７】
次に、本実施の形態１の内臓脂肪計測装置の動作について説明するとともに、皮下脂肪計測方法の実施の形態について説明する。
【００４８】
ＬＥＤ３から出射され、生体内部で散乱・減衰を繰り返し、再び生体表面に現れた光を計測したときの第１のフォトダイオード４での受光量Ｖ１と、第２のフォトダイオード５での受光量Ｖ２とから、皮下脂肪厚Ｔは、数７のように表される。
【００４９】
（数７）
Ｔ＝Ａ×（Ｖ１／Ｖ２）＋Ｂ
ここでＡ、Ｂは、ＬＥＤ３の波長および出射特性やフォトダイオード４、５の受光特性により、一意に決定される。ここで、ＬＥＤ３の波長は６００〜１０００ｎｍであればよい。
【００５０】
そして、皮下脂肪厚が厚い場合と薄い場合について、本実施の形態１の内臓脂肪計測装置を用いて計測した押し当て圧力と皮下脂肪厚の関係は図５のようになり、図１で示す押し当て圧力と皮下脂肪厚との曲線関係があることがわかる。
【００５１】
圧力／脂肪厚関連データ２５は、この、押し当て圧力と、皮下脂肪計測部２で計測した皮下脂肪厚の関係についての情報を、複数の皮下脂肪厚について有するデータベースである。
【００５２】
まず、圧力／脂肪厚関連データ２５を作成する。押し当て圧力が無い状態での複数の皮下脂肪厚の各々について、押し当て圧力が無い状態も含めた複数の押し当て圧力での皮下脂肪厚の測定、及びその皮下脂肪厚側定時の押し当て圧力の計測を行ない、これらのデータを取得する。これらのデータ取得の際、必ずしも全て測定を本実施の形態１の内臓脂肪計測装置で行なう必要は無く、計測値が本実施の形態１の内臓脂肪計測装置と相関性のある他の内臓脂肪計測装置または皮下脂肪厚計測装置で測定してもよい。そして、得られた複数の押し当て圧力で計測した皮下脂肪厚の値とその皮下脂肪厚側定時の押し当て圧力の値を、本実施の形態１の内臓脂肪計測装置における測定値に換算し、複数の押し当て圧力が無い状態での皮下脂肪厚の値と関連付けて、圧力／脂肪厚関連データ２５を作成する。
【００５３】
本実施の形態１の内臓脂肪計測装置は、上記で作成した圧力／脂肪厚関連データ２５を利用して、皮下脂肪厚の計測を行なう。以下、その皮下脂肪厚の計測の動作及び方法について説明する。
【００５４】
皮下脂肪厚計測部２で計測された皮下脂肪厚が演算部７に送信されると共に、その皮下脂肪厚を測定した時の皮下脂肪計測部２が生体表面１に加えていた押し当て圧力を押し当て圧力計測部６が計測し、その押し当て圧力の値が演算部７に送信される。演算部７は、上記で作成した圧力／脂肪厚関連データ２５を用いて、計測された押し当て圧力と計測された皮下脂肪厚に基づいて、押し当て圧力が０の場合の皮下脂肪厚、すなわち押し当て圧力の無い状態での皮下脂肪厚の値を算出する。
【００５５】
次に、演算部７で算出された押し当て圧力の無い状態での皮下脂肪厚が内臓脂肪演算部５１に送信される。内臓脂肪演算部５１は、その送信されてきた皮下脂肪厚から内臓脂肪の量などの内臓脂肪量と相関性を有する情報量を算出する。
【００５６】
すなわち、内臓脂肪演算部５１は、以下の数１を利用して、内臓脂肪の量Ｓを算出する。
【００５７】
（数１）
Ｓ＝Ｄ0×Ｔ0＋Ｅ0
ここで、Ｓは、内臓脂肪の量、
Ｔ0は、算出された、生体表面への圧力が無い状態での皮下脂肪厚、
Ｄ0、Ｅ0は、所定の定数
すなわち、数１は、押し当て圧力の無い状態での皮下脂肪厚Ｔ0が大きければ大きいほど内臓脂肪の量Ｓも大きくなるという相関性を示している。
【００５８】
なお、所定の定数Ｄ0、Ｅ0は、予め以下のような方法により求めておく。
【００５９】
すなわち、押し当て圧力が無い状態での複数の皮下脂肪厚の各々について、内臓脂肪の量を算出する。内臓脂肪の量の算出は、例えば生体のＸ線ＣＴの断層画像で白く映っている部分の面積を求めこれを内臓脂肪の量とすればよい。これらのデータ取得の際、必ずしも全て測定を本実施の形態１の内臓脂肪計測装置で行なう必要は無く、計測値が本実施の形態１の内臓脂肪計測装置と相関性のある他の内臓脂肪計測装置で測定してもよい。このようにして押し当て圧力が無い状態での皮下脂肪厚と内臓脂肪の量との値の複数の組が得られる。このようにして得られた値の複数の組について、回帰分析を行い、数１に用いられる所定の定数Ｄ0、及びＥ0を決定する。
【００６０】
このように、本実施の形態１の内臓脂肪計測装置は、押し当て圧力の無い状態での皮下脂肪厚を正確に計測することが出来るので、内臓脂肪の量などの内臓脂肪量に相関性のある情報を正確に計測することが出来る。
【００６１】
（実施の形態２）
図６は、本発明の実施の形態２の内臓脂肪計測装置の構成を示している。
【００６２】
本実施の形態２は、実施の形態１の皮下脂肪計測部２を、超音波素子８およびその周辺回路を組み込んだ超音波計測装置としたものであり、その他の構成は実施の形態１と同様である。
【００６３】
超音波素子８と生体表面１の間の密閉された空間は軟体９で満たされており、軟体は堅牢なドーム状の蓋１０で覆われている。軟体９は、超音波を遅延させる超音波遅延線であって、シリコンゴムや樹脂から成る、もしくは柔らかい透明フィルムでジェルや水を覆ったものである。そして、このドーム状の蓋１０が生体表面１に接する面の形状は、図４に示す実施の形態１の皮下脂肪計測部２と同様の、両端が半円形状の小判型である。
【００６４】
次に、本実施の形態２の内臓脂肪計測装置の動作について説明する。
【００６５】
超音波素子８から出射されたパルス波が、各生体組織の界面で反射し、超音波素子８で観測される波形は図７のようになる。その波形は、皮膚３０での反射波である第１の波１１、皮下脂肪１４と筋肉３１の境界の反射波である第２の波１２の順にならぶ。これらの２つの波の時間差ｔに超音波の速度ｖを掛け合わせた値の半分が皮下脂肪厚となる。
【００６６】
ここで、軟体９は生体表面１と超音波素子８の接合性を向上させるだけでなく、生体内部での多重反射および超音波のサイドローブの影響を減少させることができる。しかも、超音波素子８、ドーム状の蓋１０、生体表面１で囲まれているために、押し当て圧力が変化しても軟体９の形状は変化しない。そのため、観測される第１の波１１の位置は押し当て圧力にかかわらず安定し、皮下脂肪の厚みの変化に対して第２の波１２の位置のみが変化する。これに対し、軟体９の形状が固定されない場合には、皮下脂肪の厚みの変化に対して、第１の波１１と第２の波１２とが共に変化してしまう。従って、軟体９の形状が固定されない場合に比べて、安定した皮下脂肪厚の計測が可能となる。
【００６７】
本実施の形態２の皮下脂肪計測部２で計測した皮下脂肪厚と、押し当て圧力計測部６で計測した押し当て圧力の関係を図８に示す。実施の形態１の場合と同様に、図１で示す押し当て圧力と皮下脂肪厚との曲線関係があることがわかる。
【００６８】
実施の形態１と同様に、まず、圧力／脂肪厚関連データ２５のデータベースを作成する。複数の押し当て圧力の無い状態での皮下脂肪厚の各々について、押し当て圧力が無い状態も含めた複数の押し当て圧力での皮下脂肪厚の測定、及びその皮下脂肪厚側定時の押し当て圧力の計測を行ない、これらのデータを取得する。そして、得られた複数の押し当て圧力で計測した皮下脂肪厚の値とその皮下脂肪厚側定時の押し当て圧力の値を、複数の押し当て圧力が無い状態での皮下脂肪厚の値と関連付けて、圧力／脂肪厚関連データ２５を作成する。ここで、実施の形態１と同様に、これらのデータ取得時に必ずしも本実施の形態２の内臓脂肪計測装置を使用する必要はない。本実施の形態２の内臓脂肪計測装置以外の他の内臓脂肪計測装置で測定した測定値を使用する場合には、本実施の形態２の内臓脂肪計測装置における測定値に換算した値から圧力／脂肪厚関連データ２５を作成する。
【００６９】
本実施の形態２の内臓脂肪計測装置は、上記で作成した圧力／脂肪厚関連データ２５を利用して、皮下脂肪厚の計測を行なう。実施の形態１の場合と同様に、皮下脂肪厚計測部２で計測された皮下脂肪厚と押し当て圧力計測部６で計測された押し当て圧力に基づき、圧力／脂肪厚関連データ２５を用いて、演算部７は押し当て圧力の無い状態での皮下脂肪厚を算出することができる。
【００７０】
次に、演算部７で算出された押し当て圧力の無い状態での皮下脂肪厚が内臓脂肪演算部５１に送信される。内臓脂肪演算部５１は、その送信されてきた皮下脂肪厚から内臓脂肪の量などの内臓脂肪量と相関性を有する情報量を算出する。なお、内臓脂肪演算部５１は、実施の形態１と同様のものであるので詳細な説明は省略する。
【００７１】
なお、本実施の形態２の皮下脂肪計測部２は、１つの超音波素子８で皮下脂肪厚を計測することとしたが、超音波素子８は複数存在するか、または超音波素子８を生体表面１に対して平行に走査し、得られた断層画像から皮下脂肪厚を測定してもよい。
【００７２】
（実施の形態３）
図９は、本発明の実施の形態３の内臓脂肪計測装置の構成を示している。実施の形態１と同様の部分に関しては省略し、相違な点についてのみ記述する。
【００７３】
実施の形態１と構造が異なる点は、押し当て圧力計測部６が押し当て圧力検知部１３となっている点、及び圧力／脂肪厚関連データ２５が安定脂肪厚関連データ２６となっている点の２点である。押し当て圧力検知部１３は、ばねとスイッチからなる構造で、皮下脂肪計測部２が生体表面１に加える押し当て圧力が規定値の１００００Ｐａ以上となったときにスイッチがＯＮとなる。この押し当て圧力の規定値とは、本発明の所定の圧力値であって、皮下脂肪の厚さに関係なく、安定した皮下脂肪厚の計測値が得られる押し当て圧力の値である。安定脂肪厚関連データ２６は、図２に示すような、規定値以上の押し当て圧力を加えている状態で計測した皮下脂肪厚と、その皮下脂肪厚に対する押し当て圧力の無い状態での皮下脂肪厚の関係の情報を、複数の皮下脂肪厚について有するデータベースである。
【００７４】
以下、本実施の形態３の内臓脂肪計測装置の動作について説明するとともに、皮下脂肪計測方法の実施の形態について説明する。
【００７５】
まず、皮下脂肪計測部２を生体表面１に押し当てる。図１０に、測定した押し当て圧力と皮下脂肪厚の関係を示す。この場合、押し当て圧力が約６０００Ｐａ以上になると、皮下脂肪厚の収縮が止まり皮下脂肪厚が安定することがわかる。これにより、図２で示す押し当て圧力と皮下脂肪厚との曲線関係があることがわかる。
【００７６】
安定脂肪厚関連データ２６は、押し当て圧力が１００００Ｐａ以上のときに皮下脂肪計測部２で計測した皮下脂肪厚と、その計測された皮下脂肪厚に対する押し当て圧力が無い状態での皮下脂肪厚との関係についての情報を、複数の皮下脂肪厚について有するデータベースである。
【００７７】
まず、安定脂肪厚関連データ２６を作成する。押し当て圧力が１００００Ｐａのときの複数の皮下脂肪厚の測定と、その複数の皮下脂肪厚の各々に対する押し当て圧力が無い状態での皮下脂肪厚の測定を行ない、これらのデータを取得する。押し当て圧力が無い状態での皮下脂肪厚の測定は、本実施の形態３の内臓脂肪計測装置以外の内臓脂肪計測装置で測定してもよい。そして、本実施の形態３の内臓脂肪計測装置で１００００Ｐａの押し当て圧力のときに測定した複数の皮下脂肪厚と、その測定された各皮下脂肪厚に対する押し当て圧力が無い状態での皮下脂肪厚の値を関連付けて、安定脂肪厚関連データ２６のデータベースを作成する。
【００７８】
本実施の形態３の内臓脂肪計測装置は、上記で作成した安定脂肪厚関連データ２６を利用して、皮下脂肪厚の計測を行なう。以下、その皮下脂肪厚の計測の動作及び方法について説明する。
【００７９】
押し当て圧力が１００００Ｐａ以上になると、押し当て圧力検知部１３のスイッチがＯＮとなり、皮下脂肪計測部２で計測された皮下脂肪厚のデータが、皮下脂肪計測部２から演算部７に出力される。演算部７では、上記で作成した安定脂肪厚関連データ２６を用いて、皮下脂肪計測部２で計測された皮下脂肪厚のデータから、押し当て圧力が無い状態での皮下脂肪厚を算出する。図１０の場合には、規定値である押し当て圧力が１００００Ｐａの状態で皮下脂肪計測部２で計測された皮下脂肪厚が１５ｍｍであり、その皮下脂肪厚１５ｍｍに対する押し当て圧力が無い状態での皮下脂肪厚として３５ｍｍという値が演算部７にて算出される。
【００８０】
次に、演算部７で算出された押し当て圧力の無い状態での皮下脂肪厚が内臓脂肪演算部５１に送信される。内臓脂肪演算部５１は、その送信されてきた皮下脂肪厚から内臓脂肪の量などの内臓脂肪量と相関性を有する情報量を算出する。なお、内臓脂肪演算部５１は、実施の形態１で説明したものと同様であるので詳細な説明は省略する。
【００８１】
次に、押し当て圧力の規定値について説明する。
【００８２】
図１１は、皮下脂肪計測部２の形状のみが本実施の形態３とは異なる内臓脂肪計測装置で計測した時の、皮下脂肪厚と押し当て圧力の関係を示した図であり、異なる３種類の皮下脂肪厚について示している。皮下脂肪計測部２の形状が異なる場合でも、皮下脂肪厚と押し当て圧力との関係は、本実施の形態３と同様の曲線関係となる。
【００８３】
人体で最も皮下脂肪の厚い腹部において、男性でほぼ１００％、女性でも約９５％で、その皮下脂肪厚は５０ｍｍ以下である。従って、図１１の×印のプロットで示される曲線から、１００００Ｐａ以上の押し当て圧力にて、ほぼ全ての人の皮下脂肪厚は安定し、再現性のよい皮下脂肪厚の計測が可能になると言える。これにより、押し当て圧力の規定値を１００００Ｐａとした。
【００８４】
なお、実施の形態２と同様に、皮下脂肪計測部２は超音波素子を用いたものでも良い。
【００８５】
さらに、実施の形態３の内臓脂肪計測装置は、押し当て圧力検知部１３を備えているとして説明したが、押し当て圧力検知部１３を備えていない構成であっても構わない。内臓脂肪計測装置が押し当て圧力検知部１３を備えていない場合には、皮下脂肪計測部２を生体表面１に押し当て圧力の規定値を超えるように強く押し付けて皮下脂肪計測部２で皮下脂肪厚を計測することにより、押し当て圧力検知部１３を備えていなくても安定した皮下脂肪厚の計測をすることが出来る。
【００８６】
本実施の形態３の内臓脂肪計測装置により、測定中の押し当て圧力のばらつきによる測定誤差は軽減され、安定した計測が可能となり、測定再現性が向上する。
【００８７】
また、押し当て圧力計測部に高価なロードセルおよび周辺回路を用いず、ばねとスイッチの単純な構成で同等以上の測定が可能となる。
【００８８】
（実施の形態４）
図１２は、本発明の実施の形態４の内臓脂肪計測装置の構成を示している。
【００８９】
実施の形態４の内臓脂肪計測装置は、実施の形態１における図３の内臓脂肪計測装置とは、以下の点が相違している。すなわち、実施の形態４の内臓脂肪計測装置は、図３の内臓脂肪計測装置とは異なり、圧力／脂肪厚関連データ２５を備えていない。また、演算部７の代わりに内臓脂肪演算部５２を備えている。それ以外は実施の形態１における図３の内臓脂肪計測装置と同様である。
【００９０】
次に、このような本実施の形態の動作を説明する。
【００９１】
皮下脂肪厚計測部２で計測された皮下脂肪厚が内臓脂肪演算部５２に送信されると共に、その皮下脂肪厚を測定した時の皮下脂肪計測部２が生体表面１に加えていた押し当て圧力を押し当て圧力計測部６が計測し、その押し当て圧力の値が内臓脂肪演算部５２に送信される。内臓脂肪演算部５２は、皮下脂肪厚計測部２で計測された皮下脂肪厚と、圧力計測部６が計測した押し当て圧力の値から、内臓脂肪の量などの内臓脂肪量と相関性を有する情報量を算出する。すなわち、内臓脂肪演算部５２は、以下の数２を利用して内臓脂肪の量Ｓを算出する。
【００９２】
（数２）
Ｓ＝Ｄ×（（Ｔ−Ｂｅ-CF）／（（Ａ−１）ｅ-CF＋１））＋Ｅ
ここで、Ｓは、内臓脂肪の量、
Ｆは、押し当て圧力計測部で計測した生体表面へ加わる圧力、
Ｔは、皮下脂肪計測部で計測した皮下脂肪厚、
Ａ、Ｂ、Ｃ、Ｄ、Ｅは、所定の定数、
ｅは、自然対数の底
皮下脂肪計測部で計測した皮下脂肪厚Ｔは、押し当て圧力Ｆによって変動する。すなわち、押し当て圧力Ｆが大きくなれば計測される皮下脂肪厚Ｔは小さくなり、押し当て圧力Ｆが小さくなれば計測される皮下脂肪厚Ｔは大きくなる。数２は、押し当て圧力Ｆのばらつきによる皮下脂肪厚Ｔのばらつきを補正し、正確な内臓脂肪の量Ｓを求めるものである。
【００９３】
ここで、数２について説明する。
【００９４】
今、押し当て圧力が規定値以上の場合に皮下脂肪計測部で計測した皮下脂肪厚をＴ∞、押し当て圧力が無い状態での皮下脂肪厚をＴ0、押し当て圧力が任意の値の場合に皮下脂肪計測部で計測された皮下脂肪厚をＴ、押し当て圧力をＦとすると、これらの間には以下の関係がある。
【００９５】
Ｔ＝（Ｔ0−Ｔ∞）ｅ-CF＋Ｔ∞
ただしＣは所定の定数である。例えば、Ｃは、押し当て圧力が１００００Ｐａの場合を考慮して、ｅ-10000C＝１０-3を満たすような値とすればよいが、これに限らず、押し当て圧力が１００００Ｐａの場合に、ｅ-10000Cが無視出来るくらい小さな値になるようなＣであれば、ｅ-10000C＝１０-3を満たすような値以外の値であっても構わない。
【００９６】
この式は、皮下脂肪計測部で計測した皮下脂肪厚Ｔは押し当て圧力が増加するにつれて指数関数的に減少することを示している。そして、押し当て圧力が規定値以上になった場合、皮下脂肪厚は、実質上Ｔ∞に一致することを示している。
【００９７】
Ｔ0は、所定の定数Ａ、Ｂを用いて、以下のように表すことが出来る。
【００９８】
Ｔ0＝ＡＴ∞＋Ｂ
ここで、Ａ、Ｂは、皮下脂肪計測部の形状に依存する定数である。本実施の形態の皮下脂肪計測部２を用いた場合、皮下脂肪厚の単位をｍｍとするときには、Ａは１．４、Ｂは０．５になる。この式を  Ｔ、Ｔ0、Ｔ∞の間の関係式に代入すると、以下のようになる。
【００９９】
Ｔ＝（Ｔ0−Ｔ∞）ｅ-CF＋Ｔ∞
＝（（Ａ−１）Ｔ∞＋Ｂ）ｅ-CF＋Ｔ∞
＝Ｔ∞（（Ａ−１）ｅ-CF＋１）＋Ｂｅ-CF
従ってＴ∞を求めると、以下のようになる。
【０１００】
Ｔ∞＝（Ｔ−Ｂｅ-CF）／（（Ａ−１）ｅ-CF＋１）
この式を、後述する数３に代入することにより、数２を得ることが出来る。
【０１０１】
このように、本実施の形態４の内臓脂肪計測装置は、押し当て圧力のばらつきによる皮下脂肪厚のばらつきを正しく補正し、内臓脂肪の量などの内臓脂肪量に相関性のある情報を正確に計測することが出来る。
【０１０２】
（実施の形態５）
図１３は、本発明の実施の形態５の内臓脂肪計測装置の構成を示している。
【０１０３】
実施の形態５の内臓脂肪計測装置は、実施の形態２における図６の内臓脂肪計測装置とは、以下の点が相違している。すなわち、実施の形態５の内臓脂肪計測装置は、図３の内臓脂肪計測装置とは異なり、圧力／脂肪厚関連データ２５を備えていない。また、演算部７の代わりに内臓脂肪演算部５２を備えている。それ以外は実施の形態２における図６の内臓脂肪計測装置と同様である。
【０１０４】
次に、このような本実施の形態の動作を説明する。
【０１０５】
皮下脂肪厚計測部２では、皮下脂肪厚が計測され、押し当て圧力計測部６では、押し当て圧力が計測される。内臓脂肪演算部５２は、皮下脂肪厚計測部２で計測された皮下脂肪厚と、圧力計測部６が計測した押し当て圧力の値から、内臓脂肪の量などの内臓脂肪量と相関性を有する情報量を算出する。なお、内臓脂肪演算部５２は実施の形態１のものと同様である。
【０１０６】
このように、本実施の形態５の内臓脂肪計測装置は、実施の形態４と同様に押し当て圧力のばらつきによる皮下脂肪厚のばらつきを正しく補正し、内臓脂肪の量などの内臓脂肪量に相関性のある情報を正確に計測することが出来る。
【０１０７】
（実施の形態６）
図１４は、本発明の実施の形態６の内臓脂肪計測装置の構成を示している。
【０１０８】
実施の形態６の内臓脂肪計測装置は、実施の形態３における図９の内臓脂肪計測装置とは、以下の点が相違している。すなわち、実施の形態６の内臓脂肪計測装置は、図９の内臓脂肪計測装置とは異なり、安定脂肪厚関連データ２６を備えていない。また、演算部７の代わりに内臓脂肪演算部５３を備えている。それ以外は実施の形態３における図９の内臓脂肪計測装置と同様である。
【０１０９】
次に、このような本実施の形態の動作を説明する。
【０１１０】
皮下脂肪厚計測部２で計測された皮下脂肪厚が内臓脂肪演算部５２に送信される。皮下脂肪厚計測部２で計測された皮下脂肪厚は、実施の形態３で説明したように、押し当て圧力が規定値以上の場合に計測された皮下脂肪厚であって、皮下脂肪の厚さに関係なく、安定した計測値が得られている。
【０１１１】
内臓脂肪演算部５３は、皮下脂肪厚計測部２で計測された押し当て圧力が規定値以上の場合に計測された皮下脂肪厚から、内臓脂肪の量などの内臓脂肪量と相関性を有する情報量を算出する。すなわち、内臓脂肪演算部５３は、以下の数３を利用して内臓脂肪の量Ｓを算出する。
【０１１２】
（数３）
Ｓ＝Ｄ×Ｔ∞＋Ｅ
ここで、Ｓは、内臓脂肪の量、
Ｔ∞は、皮下脂肪計測部で計測した皮下脂肪厚、
Ｄ、Ｅは、所定の定数
すなわち、数３は、押し当て圧力が規定値以上の場合に計測された皮下脂肪厚Ｔ∞が大きければ大きいほど内臓脂肪の量Ｓも大きくなるという相関性を示している。
【０１１３】
なお、所定の定数Ｄ、Ｅは、予め以下のような方法により求めておく。
【０１１４】
すなわち、押し当て圧力が無い状態での複数の皮下脂肪厚の各々について、内臓脂肪の量を算出する。内臓脂肪の量の算出は、例えば生体のＸ線ＣＴの断層画像で白く映っている部分の面積を求めこれを内臓脂肪の量とすればよい。これらのデータ取得の際、必ずしも全て測定を本実施の形態６の内臓脂肪計測装置で行なう必要は無く、計測値が本実施の形態６の内臓脂肪計測装置と相関性のある他の内臓脂肪計測装置で測定してもよい。このようにして押し当て圧力が規定値状の場合の皮下脂肪厚と内臓脂肪の量との値の複数の組が得られる。このようにして得られた値の複数の組について、回帰分析を行い、数３に用いられる所定の定数Ｄ、及びＥを決定する。
【０１１５】
このように、本実施の形態６の内臓脂肪計測装置は、押し当て圧力が規定値以上の場合の皮下脂肪厚を正確に計測することが出来るので、内臓脂肪の量などの内臓脂肪量に相関性のある情報を正確に計測することが出来る。
【０１１６】
（実施の形態７）
本発明の実施の形態７の内臓脂肪計測方法について、図１５を用いて説明する。図１５は、生体の胴部をほぼ円とした時の、腹囲部分の断面図である。同じ腹囲でも、左図の皮下脂肪１４が薄い場合と、右図の皮下脂肪１４が厚い場合では、内部に含まれる内臓脂肪面積１５には大きな差がある。
【０１１７】
ここで、腹囲に対して皮下脂肪１４のばらつきを補正する必要がある。そのためには、生体表面に力がかからない状態での皮下脂肪厚が必要であるので、押し当て圧力が無い状態での皮下脂肪厚の測定に、実施の形態１乃至３のいずれかの内臓脂肪計測装置を用いる。
【０１１８】
さらに、メジャーなどで腹囲Ｌを計測し、腹囲Ｌと押し当て圧力が無い状態での皮下脂肪厚Ｔ0から、皮下脂肪厚を除いた腹囲Ｌ’は、生体の臍付近の断面がほぼ円であることから、数８のように求められる。
【０１１９】
（数８）
Ｌ’＝Ｌ−２×π×Ｔ0
この方法により、皮下脂肪厚の違いによるばらつきを抑えた、精度の良い内臓脂肪量の指標となる、内臓脂肪量と相関性を有する情報量である皮下脂肪厚を除いた腹囲Ｌ’を得ることができる。
【０１２０】
また、内臓脂肪の量をＳとすると、上記皮下脂肪厚を除いた腹囲Ｌ’を用いて、次のように表すことが出来る。
【０１２１】
Ｓ＝ＡＬ’＋Ｂ
ここで、Ａ及びＢは所定の定数である。
【０１２２】
この式に数８を代入すると、内臓脂肪の量Ｓは、以下のように表すことが出来る。
【０１２３】
Ｓ＝Ａ（Ｌ−２×π×Ｔ0）＋Ｂ
＝ＡＬ−２×π×Ａ×Ｔ0＋Ｂ
ここで、ＡをＧ0とおき、２×π×Ａ×をＨ0とおき、ＢをＩ0とおけば、内臓脂肪の量Ｓを求める数４が得られる。
【０１２４】
（数４）
Ｓ＝Ｇ0×Ｌ−Ｈ0×Ｔ0＋Ｉ0
ここで、Ｓは、内臓脂肪の量、
Ｔ0は、算出された、生体表面への圧力が無い状態での皮下脂肪厚、
Ｌは、腹囲
Ｇ0、Ｈ0、Ｉ0は、所定の定数
従って、数４を用いて内臓脂肪の量Ｓを求めることが出来る。また、数４において、所定の定数Ｇ0、Ｈ0、Ｉ0については、Ｓ、Ｌ、Ｔ0の値の複数の組を予め求めておき、回帰分析を行うことによって決定することも出来る。
【０１２５】
また、図１５に示すように腹囲全部で皮下脂肪厚は均一でないので、皮下脂肪厚を除いた腹囲Ｌ’を求めるのに、押し当て圧力が規定値以上の場合の皮下脂肪厚Ｔ∞を用いてもよい。押し当て圧力が規定値以上の場合の皮下脂肪厚Ｔ∞を用いて皮下脂肪厚を除いた腹囲をＬ’’とすると、Ｌ’’は以下の式で表すことが出来る。
【０１２６】
Ｌ’’＝Ｌ−２×π×Ｔ∞
この式を内臓脂肪の量を表す式Ｓ＝ＡＬ’’＋Ｂに代入すると、内臓脂肪の量は、以下のように表すことが出来る。
【０１２７】
Ｓ＝Ａ（Ｌ−２×π×Ｔ∞）＋Ｂ
＝ＡＬ−２×π×Ａ×Ｔ∞＋Ｂ
ここで、ＡをＧとおき、２×π×Ａ×をＨとおき、ＢをＩとおけば、内臓脂肪の量Ｓを求める数６が得られる。
【０１２８】
（数６）
Ｓ＝Ｇ×Ｌ−Ｈ×Ｔ∞＋Ｉ
ここで、Ｓは、内臓脂肪の量、
Ｔ∞は、押し当て圧力が規定値以上の場合の皮下脂肪計測部で計測した皮下脂肪厚、
Ｌは、腹囲
Ｇ、Ｈ、Ｉは、所定の定数
数６を用いることにより、押し当て圧力が規定値以上の場合の皮下脂肪計測部で計測した皮下脂肪厚Ｔ∞から内臓脂肪の量を正確に求めることが出来る。また、数６において、所定の定数Ｇ、Ｈ、Ｉについては、Ｓ、Ｌ、Ｔ∞の値の複数の組を予め求めておき、回帰分析を行うことによって決定することも出来る。
【０１２９】
ここで、押し当て圧力が規定値以上の場合に皮下脂肪計測部で計測した皮下脂肪厚をＴ∞、押し当て圧力が無い状態での皮下脂肪厚をＴ0、押し当て圧力が任意の値の場合に皮下脂肪計測部で計測された皮下脂肪厚をＴ、押し当て圧力をＦとすると、これらの間には以下の関係がある。
【０１３０】
Ｔ＝（Ｔ0−Ｔ∞）ｅ-CF＋Ｔ∞
ただしＣは所定の定数である。例えば、Ｃは、押し当て圧力が１００００Ｐａの場合を考慮して、ｅ-10000C＝１０-3を満たすような値とすればよいが、これに限らず、押し当て圧力が１００００Ｐａの場合に、ｅ-10000Cが無視出来るくらい小さな値になるようなＣであれば、ｅ-10000C＝１０-3を満たすような値以外の値であっても構わない。
【０１３１】
この式は、皮下脂肪計測部で計測した皮下脂肪厚Ｔは押し当て圧力が増加するにつれて指数関数的に減少することを示している。そして、押し当て圧力が規定値以上になった場合、皮下脂肪厚は、実質上Ｔ∞に一致することを示している。
【０１３２】
Ｔ0は、所定の定数Ａ、Ｂを用いて、以下のように表すことが出来る。
【０１３３】
Ｔ0＝ＡＴ∞＋Ｂ
ここで、Ａ、Ｂは、皮下脂肪計測部の形状に依存する定数である。本実施の形態の皮下脂肪計測部２を用いた場合、皮下脂肪厚の単位をｍｍとするときには、Ａは１．４、Ｂは０．５になる。この式を  Ｔ、Ｔ0、Ｔ∞の間の関係式に代入すると、以下のようになる。
【０１３４】
Ｔ＝（Ｔ0−Ｔ∞）ｅ-CF＋Ｔ∞
＝（（Ａ−１）Ｔ∞＋Ｂ）ｅ-CF＋Ｔ∞
＝Ｔ∞（（Ａ−１）ｅ-CF＋１）＋Ｂｅ-CF
従ってＴ∞を求めると、以下のようになる。
【０１３５】
Ｔ∞＝（Ｔ−Ｂｅ-CF）／（（Ａ−１）ｅ-CF＋１）
この式を、数６に代入することにより、数５を得ることが出来る。
【０１３６】
（数５）
Ｓ＝Ｇ×Ｌ−Ｈ×（（Ｔ−Ｂｅ-CF）／（（Ａ−１）ｅ-CF＋１））＋Ｉ
ここで、Ｓは、内臓脂肪の量、
Ｆは、押し当て圧力計測部で計測した生体表面へ加わる圧力、
Ｔは、皮下脂肪計測部で計測した皮下脂肪厚、
Ｌは、腹囲
Ａ、Ｂ、Ｃ、Ｄ、Ｅ、Ｇ、Ｈ、Ｉは、所定の定数
ｅは、自然対数の底
数５を用いることにより、押し当て圧力が規定値以下の場合であっても、皮下脂肪計測部で計測された皮下脂肪厚Ｔの押し当て圧力Ｆによる変動を補正することができので、正確に内臓脂肪の量を算出することが出来る。
【０１３７】
なお、従来の報告（松澤祐次、外１３名、“新しい肥満の判定と肥満症の診断基準”「肥満研究」Ｖｏｌ．６  Ｎｏ．１  ２０００＜委員会報告＞日本肥満学会肥満症診断基準検討委員会参照）では内臓脂肪面積と相関性のある情報量としてウエスト周囲径を用いているが、本発明では、ウエスト周囲径よりも測定再現性の高い、臍の部分の周囲系である腹囲を用いている。
【０１３８】
（実施の形態８）
図１６は、本発明の実施の形態８の内臓脂肪計測装置の構成を示している。実施の形態１乃至３と同様の部分に関しては省略し、相違な点についてのみ記述する。
【０１３９】
実施の形態１乃至３と構造が異なる点は、生体１６の腹囲を計測する腹囲計測部１７を備えており、また、内臓脂肪演算部２４を備えている点である。腹囲計測部１７は、ひも１８と、ひも１８を巻き取るリール１９と、リール１９の回転をカウントするカウンタ２０と、固定部２２を備えている。固定部２２は、臍の穴に押し当てる突起２１を有しており、突起２１は、生体表面での内臓脂肪計測装置の位置を規定するようになっている。また、腹囲計測部１７は、ひも１８を生体１６に一周して再び固定する部位を有する。また、リール１９には所定の張力でひも１８を引っ張る張力調整部２３があり、生体１６をひも１８が一周した場合にたるむことや、ひも１８を引きすぎて生体１６にひも１８が食い込むことによる腹囲の測定誤差を軽減している。
【０１４０】
以下、本実施の形態８の内臓脂肪計測装置の動作について説明する。
【０１４１】
ひも１８がリール１９に巻き取られた状態から、生体１６を一周して腹囲計測部１７に固定されるまでにリール１９が回転した回転数を、カウンタ２０がカウントすることで腹囲Ｌを計測する。ここで、リール１９の回転数をカウントするのではなく、ひも１８に単位長さごとにつけられたマークをカウントすることによって腹囲Ｌを計測してもよい。
【０１４２】
生体の臍付近の断面がほぼ円であることから、この計測された腹囲Ｌと、押し当て圧力が無い状態での皮下脂肪厚Ｔとから、実施の形態７で説明した数８を用いて皮下脂肪厚を除いた腹囲Ｌ’を求めることができる。この方法により、内臓脂肪演算部２４では、皮下脂肪厚を除いた腹囲Ｌ’を算出する。これにより、各個人の皮下脂肪厚のばらつきを補正した、精度の高い内臓脂肪の指標となる情報量である皮下脂肪厚を除いた腹囲Ｌ’を求めることができる。
【０１４３】
また、内臓脂肪演算部２４は、計測された腹囲Ｌと、押し当て圧力が無い状態での皮下脂肪厚Ｔとから、実施の形態７で説明した数４を用いて内臓脂肪の量を求める。
【０１４４】
このように、実施の形態８の内臓脂肪計測装置は、皮下脂肪厚を除いた腹囲Ｌ’や内臓脂肪の量を正確に求めることが出来る。
【０１４５】
なお、本実施の形態８では、押し当て圧力計測部６及び圧力／脂肪厚関連データ２５としているが、これらを押し当て圧力検知部１３及び安定脂肪厚関連データ２６としても良い。
【０１４６】
また、内臓脂肪演算部２４は演算部７を同一とする構成であっても良い。
【０１４７】
（実施の形態９）
図１７は、本発明の実施の形態９の内臓脂肪計測装置の構成を示している。実施の形態８と同様の部分に関しては省略し、相違な点についてのみ記述する。
【０１４８】
実施の形態８と構造が異なる点は、内臓脂肪演算部５４を備え、演算部７及び圧力／脂肪厚関連データ２５を備えていない点である。それ以外は、実施の形態８と同様である。
【０１４９】
次に、このような本実施の形態の動作を説明する。
【０１５０】
実施の形態９の内臓脂肪計測装置の腹囲計測部１７は、実施の形態８と同様にして、腹囲Ｌを計測する。
【０１５１】
そして、腹囲計測部１７は計測した腹囲Ｌを内臓脂肪演算部５４に送信する。また、押し当て圧力計測部６は、押し当て圧力を計測し、内臓脂肪演算部５４に送信する。また、皮下脂肪計測部２は、皮下脂肪厚を計測し、内臓脂肪演算部５４に送信する。
【０１５２】
内臓脂肪演算部５４は、押し当て圧力をＦ、皮下脂肪計測部２で計測された皮下脂肪厚をＴ、腹囲Ｌとして、実施の形態７で説明した数５を利用して内臓脂肪の量Ｓを求める。
【０１５３】
それ以外は実施の形態８と同様であるので説明を省略する。
【０１５４】
このように、実施の形態９の内臓脂肪計測装置は、皮下脂肪厚を除いた腹囲Ｌ’や内臓脂肪の量を正確に求めることが出来る。
【０１５５】
（実施の形態１０）
図１８は、本発明の実施の形態１０の図１７は、本発明の実施の形態９の内臓脂肪計測装置の構成を示している。実施の形態８と同様の部分に関しては省略し、相違な点についてのみ記述する。
【０１５６】
実施の形態８と構造が異なる点は、内臓脂肪演算部５５を備え、演算部７及び圧力／脂肪厚関連データ２５を備えておらず、また押し当て圧力計測部６の代わりに押し当て圧力検知部１３を備えている点である。実施の形態８と同様である。
【０１５７】
次に、このような本実施の形態の動作を説明する。
【０１５８】
実施の形態１０の内臓脂肪計測装置の腹囲計測部１７は、実施の形態８と同様にして、腹囲Ｌを計測する。そして、腹囲計測部１７は計測した腹囲Ｌを内臓脂肪演算部５５に送信する。
【０１５９】
また、実施の形態１０の内臓脂肪計測装置の皮下脂肪計測部２は、実施の形態３と同様にして皮下脂肪厚を計測する。すなわち、皮下脂肪厚計測部２は、規定値以上の押し当て圧力が加わった状態で皮下脂肪厚を計測する。そして、皮下脂肪厚計測部２は、計測した皮下脂肪厚を内臓脂肪演算部５５に送信する。
【０１６０】
内臓脂肪演算部５５は、規定値以上の押し当て圧力が加わっている状態で皮下脂肪計測部２で計測された皮下脂肪厚をＴ∞、腹囲Ｌとして、実施の形態７で説明した数６を利用して内臓脂肪の量Ｓを求める。
【０１６１】
それ以外は実施の形態８と同様であるので説明を省略する。
【０１６２】
このように、実施の形態１０の内臓脂肪計測装置は、皮下脂肪厚を除いた腹囲Ｌ’や内臓脂肪の量を正確に求めることが出来る。
【０１６３】
また、各実施の形態において、圧力／脂肪厚関連データ２５または安定脂肪厚関連データ２６を演算部７とは別に設ける構成としているが、これらのデータベースが演算部７に含まれる構成であってもよい。
【０１６４】
また、各実施の形態における内臓脂肪計測装置および内臓脂肪計測装置によって得られた、皮下脂肪厚、内臓脂肪量と、身長、体重から、体脂肪率を計算することもできる。
【０１６５】
また、得られた皮下脂肪厚、内臓脂肪量を、別途設けられた通信手段によって、外部の機器に伝達することもできる。
【０１６６】
なお、本発明のプログラムは、上述した本発明の内臓脂肪計測装置および内臓脂肪計測装置の、演算部または内臓脂肪演算部のいずれかまたは両方の機能をコンピュータにより実行させるためのプログラムであって、コンピュータと協働して動作するプログラムである。
【０１６７】
また、本発明の記録媒体は、上述した本発明の内臓脂肪計測装置および内臓脂肪計測装置の、演算部または内臓脂肪演算部の機能をコンピュータにより実行させるためのプログラム、またはデータベースの、全部または一部を担持した記録媒体であり、コンピュータにより読み取り可能かつ、読み取られた前記プログラムまたは前記データベースが前記コンピュータと協働して利用される記録媒体である。
【０１６８】
また、本発明のプログラムの一利用形態は、コンピュータにより読み取り可能な記録媒体に記録され、コンピュータと協働して動作する態様であっても良い。
【０１６９】
また、記録媒体としては、ＲＯＭ等が含まれ、伝送媒体としては、インターネット等の伝送媒体、光・電波・音波等が含まれる。
【０１７０】
また、上述した本発明のコンピュータは、ＣＰＵ等の純然たるハードウェアに限らず、ファームウェアや、ＯＳ、更に周辺機器を含むものであっても良い。
【０１７１】
なお、以上説明した様に、本発明の構成は、ソフトウェア的に実現しても良いし、ハードウェア的に実現しても良い。
【産業上の利用可能性】
【０１７２】
本発明にかかる内臓脂肪計測装置、内臓脂肪計測方法、プログラム、及び記録媒体は、計測再現性の良い、計測部位に圧力が加わっていない状態での皮下脂肪厚を計測できる効果を有し、内臓脂肪に関する情報を計測する内臓脂肪計測装置、内臓脂肪計測方法、プログラム、及び記録媒体等に有用である。
また、本発明にかかる内臓脂肪計測装置、内臓脂肪計測方法、プログラム、及び記録媒体は、皮下脂肪による影響を含まない、内臓脂肪量に相関性のある情報量を計測できる効果を有し、内臓脂肪に関する情報を計測する内臓脂肪計測装置、内臓脂肪計測方法、プログラム、及び記録媒体等として有用である。
【図面の簡単な説明】
【０１７３】
【図１】押し当て圧力と皮下脂肪厚の関係から押し当て圧力が無い状態での皮下脂肪厚を導出する、本発明の第１の原理の説明図である。
【図２】押し当て圧力と皮下脂肪厚の関係から押し当て圧力が無い状態での皮下脂肪厚を導出する、本発明の第２の原理の説明図である。
【図３】本発明の実施の形態１の内臓脂肪計測装置の構成図である。
【図４】本発明の実施の形態１の皮下脂肪計測部の平面図である。
【図５】本発明の実施の形態１における押し当て圧力と皮下脂肪厚の関係を示す図である。
【図６】本発明の実施の形態２の内臓脂肪計測装置の構成図である。
【図７】本発明の実施の形態２の超音波素子で観測される波形の概念図である。
【図８】本発明の実施の形態２の押し当て圧力計測部で計測した押し当て圧力と皮下脂肪厚の関係を示す図である。
【図９】本発明の実施の形態３の内臓脂肪計測装置の構成図である。
【図１０】本発明の実施の形態３における押し当て圧力と皮下脂肪厚の関係を示す図である。
【図１１】本発明の実施の形態３における押し当て圧力の規定値決定のための、押し当て圧力と皮下脂肪厚の関係を示す図である。
【図１２】本発明の実施の形態４における内臓脂肪計測装置の構成図である。
【図１３】本発明の実施の形態５における内臓脂肪計測装置の構成図である。
【図１４】本発明の実施の形態６における内臓脂肪計測装置の構成図である。
【図１５】本発明の実施の形態７の内臓脂肪量と相関性を有する情報量決定のための、内臓脂肪面積と皮下脂肪厚との関係を示す生体の胴部の断面図である。
【図１６】本発明の実施の形態８の内臓脂肪計測装置の構成図である。
【図１７】本発明の実施の形態９の内臓脂肪計測装置の構成図である。
【図１８】本発明の実施の形態１０の内臓脂肪計測装置の構成図である。
【符号の説明】
【０１７４】
１  生体表面
２  皮下脂肪計測部
３  ＬＥＤ
４  第１のフォトダイオード
５  第２のフォトダイオード
６  押し当て圧力計測部
７  演算部
８  超音波素子
９  軟体
１０  ドーム状の蓋
１１  第１の波
１２  第２の波
１３  押し当て圧力検知部
１４  皮下脂肪
１５  内臓脂肪面積
１６  生体
１７  腹囲計測部
１８  ひも
１９  リール
２０  カウンタ
２１  突起
２２  固定部
２３  張力調整部
２４  内臓脂肪演算部
２５  圧力／脂肪厚関連データ
２６  安定脂肪厚関連データ
３０  皮膚
３１  筋肉
５１  内臓脂肪演算部
５２  内臓脂肪演算部
５３  内臓脂肪演算部
５４  内臓脂肪演算部
５５  内臓脂肪演算部
【国際調査報告】
2004073517.tif 000045
2004073517.tif 000046
2004073517.tif 000047
2004073517.tif 000048
2004073517.tif 000049
2004073517.tif 000050